(57)【特許請求の範囲】
【請求項１】
その長さ方向に第１製版画像と第２製版画像とが２面並んだ分割製版済みマスタを外周面上に巻装する版胴及び前記版胴に対して接離自在に設けられたプレスローラーを有する印刷部と、用紙を前記印刷部に向けて給送する給紙部と、前記印刷部において印刷がなされた印刷済み用紙を機外に排出する排紙部と、前記印刷部においてその表面に印刷画像を形成された表面印刷済み用紙を一時的に貯容する補助トレイと、前記補助トレイ上に貯容された表面印刷済み用紙を前記プレスローラーの外周面に沿う態様で前記印刷部に向けて再給紙する再給紙手段と、前記印刷部を通過した用紙を前記補助トレイまたは前記排紙部の何れかに案内する切換部材とを有し、
両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、
前記再給紙手段は、前記補助トレイ上に貯容された表面印刷済み用紙を前記プレスローラーに向けて搬送する再給紙搬送部材と、前記再給紙搬送部材によって搬送された表面印刷済み用紙を前記プレスローラーの手前の所定位置で一時停止させる再給紙位置決め部材と、前記再給紙位置決め部材によって所定位置で一時停止された表面印刷済み用紙を所定のタイミングで回転中の前記プレスローラーに接触させる再給紙レジスト部材と、前記再給紙レジスト部材によって回転中の前記プレスローラーに接触され前記プレスローラーの回転力によって搬送される表面印刷済み用紙を前記プレスローラーの周面に当接させて前記版胴に向けて案内する再給紙案内部材とを有することを特徴とする両面印刷装置。
【請求項２】
請求項１記載の両面印刷装置において、
前記補助トレイは前記排紙部の下方に配設されていることを特徴とする両面印刷装置。
【請求項３】
請求項１または２記載の両面印刷装置において、
前記プレスローラーを回転自在に支持するプレスローラー支持部材と、前記プレスローラー支持部材を揺動させて前記プレスローラーを前記版胴に対して接離させるプレスローラー接離機構と、前記再給紙レジスト部材を支持する再給紙レジスト支持部材とを有し、前記再給紙レジスト支持部材が前記プレスローラー支持部材に揺動自在に設けられると共に前記再給紙レジスト支持部材を揺動させて前記再給紙レジスト部材を前記プレスローラーに対して接離させる再給紙レジスト接離機構を有することを特徴とする両面印刷装置。
【請求項４】
請求項３記載の両面印刷装置において、
前記プレスローラー接離機構は、印刷開始直後の前記版胴の１回転目は第１製版画像または第２製版画像の何れか他方が前記プレスローラーの周面に接触しないように前記プレスローラーを前記版胴から離隔させると共に、印刷終了直前の前記版胴の最終回転目は第１製版画像または第２製版画像の何れか一方が前記プレスローラーの周面に接触しないように前記プレスローラーを前記版胴から離隔させることを特徴とする両面印刷装置。
【請求項５】
請求項１ないし４の何れか１つに記載の両面印刷装置において、
前記再給紙案内部材が前記プレスローラーに当接した回転自在なローラーからなり、前記ローラーが前記プレスローラー支持部材に回転自在に支持されていることを特徴とする両面印刷装置。
【請求項６】
請求項１ないし４の何れか１つに記載の両面印刷装置において、
前記再給紙案内部材が２個のローラー及び各ローラー間に掛け渡され前記プレスローラーに当接した無端ベルトからなり、前記各ローラーが前記プレスローラー支持部材に回転自在に支持されていることを特徴とする両面印刷装置。
【請求項７】
請求項１ないし４の何れか１つに記載の両面印刷装置において、
前記再給紙案内部材が前記プレスローラーに当接した板部材からなり、前記板部材が前記プレスローラー支持部材に支持されていることを特徴とする両面印刷装置。
【請求項８】
請求項１ないし７の何れか１つに記載の両面印刷装置において、
前記プレスローラーの周面をクリーニングするクリーニング部材を有することを特徴とする両面印刷装置。
【請求項９】
請求項８記載の両面印刷装置において、
前記クリーニング部材は前記プレスローラーの周面に対して接離自在に設けられていることを特徴とする両面印刷装置。
【請求項１０】
請求項９記載の両面印刷装置において、
前記クリーニング部材は片面印刷時に前記プレスローラーの周面から離隔した位置を占めることを特徴とする両面印刷装置。
【請求項１１】
請求項１ないし７の何れか１つに記載の両面印刷装置において、
前記プレスローラーがプレスローラー回転駆動手段により前記版胴の周速度とほぼ同じ周速度で回転駆動されることを特徴とする両面印刷装置。
【請求項１２】
請求項１１記載の両面印刷装置において、
前記プレスローラーは前記版胴との当接時に前記版胴からの回転力によって従動回転することを特徴とする両面印刷装置。
【請求項１３】
請求項１１または１２記載の両面印刷装置において、
前記プレスローラー回転駆動手段は、前記プレスローラーの揺動時において前記プレスローラーの自転による位相の変化を防止する駆動力伝達手段を有することを特徴とする両面印刷装置。
【請求項１４】
請求項１３記載の両面印刷装置において、
前記プレスローラーの直径は前記版胴の直径の２分の１ないし３分の１の範囲内にあることを特徴とする両面印刷装置。
【請求項１５】
請求項１１ないし１４の何れか１つに記載の両面印刷装置において、
前記プレスローラーの周面をクリーニングするクリーニング部材を有することを特徴とする両面印刷装置。
【請求項１６】
請求項１５記載の両面印刷装置において、
前記クリーニング部材は前記プレスローラーの周面に対して接離自在に設けられていることを特徴とする両面印刷装置。
【請求項１７】
請求項１６記載の両面印刷装置において、
前記クリーニング部材は片面印刷時に前記プレスローラーの周面から離隔した位置を占めることを特徴とする両面印刷装置。
【請求項１８】
請求項１６または１７記載の両面印刷装置において、
前記クリーニング部材が前記再給紙レジスト部材と前記再給紙案内部材との間の位置に配置され、前記クリーニング部材は前記再給紙レジスト部材によって表面印刷済み用紙が搬送されている間は前記プレスローラーの周面から離隔した位置を占めることを特徴とする両面印刷装置。
【請求項１９】
請求項１８記載の両面印刷装置において、
前記プレスローラーの周面長さが第１製版画像または第２製版画像の長さよりも長いことを特徴とする両面印刷装置。
【請求項２０】
請求項１ないし１９の何れか１つに記載の両面印刷装置において、
前記プレスローラーはその周面が撥インキ性を有することを特徴とする両面印刷装置。
【請求項２１】
請求項１ないし２０の何れか１つに記載の両面印刷装置において、
前記給紙部に厚紙がセットされた場合に警告を表示する第１表示手段を有することを特徴とする両面印刷装置。
【請求項２２】
請求項１ないし２１の何れか１つに記載の両面印刷装置において、
前記給紙部にセットされた用紙のサイズと第１製版画像及び第２製版画像の画像領域サイズとが不一致の場合に警告を発する第２表示手段を有することを特徴とする両面印刷装置。
【請求項２３】
請求項１ないし２２の何れか１つに記載の両面印刷装置において、
前記分割製版済みマスタを製版する製版部を有することを特徴とする両面印刷装置。
【請求項２４】
請求項２３記載の両面印刷装置において、
前記製版部は前記分割製版済みマスタを製版する際に第１製版画像と第２製版画像との間に所定の空白部を設けることを特徴とする両面印刷装置。
【請求項２５】
請求項２３または２４記載の両面印刷装置において、
前記製版部は前記分割製版済みマスタを製版する際にべた部の多い画像を用紙の裏面側に印刷される製版画像として製版することを特徴とする両面印刷装置。
【請求項２６】
請求項２３ないし２５の何れか１つに記載の両面印刷装置において、
両面印刷時において製版すべき画像データとして第１製版画像及び第２製版画像の各画像領域を超える大きさの画像データが入力された場合に、警告を行うと共に画像データの回転あるいは縮小を案内して操作の手助けを行う機能を有することを特徴とする両面印刷装置。
【請求項２７】
請求項２３ないし２６の何れか１つに記載の両面印刷装置において、
両面印刷時において製版すべき画像データが連続的に入力され、前記分割製版済みマスタの製版と印刷とを繰り返し行って複数ページの両面印刷物を得る際に、画像データ数が奇数の場合には最終ページに空白のページを追加して両面印刷時と同様の製版及び印刷動作を行うことを特徴とする両面印刷装置。
【発明の詳細な説明】
【０００１】
【発明の属する技術分野】
本発明は印刷装置に関し、詳しくは１工程で用紙の両面に印刷を行うことが可能な両面印刷装置の構造に関する。
【０００２】
【従来の技術】
従来、簡便な印刷方法としてデジタル式感熱孔版印刷が知られている。この孔版印刷装置は、微細な発熱素子が一列に配置されたサーマルヘッドを感熱孔版マスタ（以下、「マスタ」という）に接触させ、パルス的に発熱素子に通電させながらマスタを搬送することで画像情報に応じてマスタを加熱溶融穿孔し、このマスタを多孔性円筒状の版胴の外周面に巻装した後に用紙を介して版胴の外周面をプレスローラー等の押圧手段によって押圧することで、マスタ穿孔部よりインキを透過させてこれを用紙に転移させることにより印刷画像を得るものである。
【０００３】
この孔版印刷において、近年では用紙の消費量及び書類の保管スペースを低減させるため等の目的から、用紙の両面に印刷を行う両面印刷が頻繁に行われるようになってきている。この両面印刷は、従来の方法では給紙部に積載した用紙を印刷部に通紙し、一面に印刷をした後に用紙を裏返して再度印刷部に通紙して他面に印刷をすることで両面印刷物を得ていたが、一度排紙された用紙を再度給紙部にセットしたり片面印刷後の用紙を揃えたりする作業が面倒であるという問題点があった。
【０００４】
また、印刷終了後の印刷物はインキが十分に乾燥していないため、すぐに裏面に印刷しようとすると搬送ローラーやプレスローラー等が画像部に押し付けられて印刷画像が汚れたり乱れたりするという不具合が生じ、大抵の場合には数時間以上経過してから裏面への印刷を行っていた。特に、ベタ画像部がある場合には長時間の乾燥が必要であり、翌日になってから裏面への印刷が行われていた。
このように両面印刷は、一面印刷後に他面に印刷を行うまでには用紙を長時間乾燥させねばならず、しかも印刷部への通紙を２回行うために正味の印刷時間においても片面印刷に比べて２倍の時間を要し、時間がかかりすぎるという問題点があった。
【０００５】
上述の問題点を解決するため、第１の版胴と、用紙搬送路を介して第１の版胴と対向配置された第２の版胴と、第１の版胴の外周面と第２の版胴の外周面とを互いに接離させる接離手段とを具備し、接離手段を作動させて各版胴同士を互いに圧接させることにより１工程で両面印刷物を得る孔版印刷装置が特開平６−７１９９６号公報及び特開平６−１３５１１１号公報に開示されている。
【０００６】
また、第１の版胴と、用紙搬送路を介して第１の版胴に対向配置され第１の版胴に対して圧接・離間可能に設けられた第１の押圧手段と、第１の版胴より用紙搬送方向下流側であって用紙搬送路を介して第１の版胴と対向する側に配置された第２の版胴と、用紙搬送路を介して第２の版胴に対向配置され第２の版胴に対して圧接・離間可能に設けられた第２の押圧手段とを具備し、第１の版胴と第１の押圧手段とを圧接させた後、第２の版胴と第２の押圧手段とを圧接させることにより１工程で両面印刷物を得る孔版印刷装置が特開平８−９０８９３号公報及び特開平８−１４２４７７号公報に開示されている。
【０００７】
さらに、版胴の回転方向に第１製版画像と第２製版画像とが２面並んだ分割製版済みマスタを用い、何れか一方の製版画像の画像領域と対応させてプレスローラーを版胴に直接当接させつつ版胴と共に回転させてプレスローラーの外周面に一方の製版画像と対応する第１印刷画像を転写する第１工程と、第１工程後に他方の製版画像の画像領域と第１印刷画像とが対応すべく、用紙を介してプレスローラーを版胴に当接させつつ版胴と共に回転させて用紙のプレスローラーと対応する第１の面に第１印刷画像を再転写させると同時に、用紙の版胴と対応する第２の面に他方の製版画像と対応する第２印刷画像を転写させる第２工程とにより１工程で両面印刷物を得る孔版印刷方法、及びこれを行う孔版印刷装置が特開平８−３３２７６８号公報に開示されている。
【０００８】
【発明が解決しようとする課題】
しかし、特開平６−７１９９６号公報及び特開平６−１３５１１１号公報に開示された技術では、２個の版胴を上下に配置してこれらを互いに圧接させる構成であるため片面印刷時においても各版胴同士を圧接させる必要があり、一方の版胴には製版済みマスタを、他方の版胴には未製版のマスタをそれぞれ巻装しなくてはならず、片面印刷時にはマスタが無駄に消費されてしまうという問題点がある。また、外周面上にマスタを保持するためのクランパーをそれぞれ有する２個の版胴を互いに圧接させるために各クランパーが向かい合う位置では各版胴を離隔させる必要が生じ、印刷速度が速くなるとこの離隔によって互いの版胴が接触する面積が減少して画像量域が減少するため、画像量域を確保するためには各版胴の外径を大きくする必要が生じて装置の小型化が困難となると共に、各版胴の接触時において大きな騒音が発生するという問題点がある。
【０００９】
特開平８−９０８９３号公報及び特開平８−１４２４７７号公報に開示された技術では、上述と同様に片面印刷時において一方の版胴に未製版のマスタを巻装する必要があり、マスタが無駄に消費されてしまうという問題点がある。また、用紙搬送方向に２個の版胴を直列に並べているため、片面印刷用の孔版印刷装置に比して装置が２倍近くも大きくなり、その設置スペースの確保が困難になるという問題点がある。
【００１０】
特開平８−３３２７６８号公報に開示された技術では、第１製版画像及び第２製版画像（表面画像及び裏面画像）のうちの何れか一方を版胴から用紙に直接転写させ、他方をプレスローラーに転写させた後に用紙に再転写させているため、用紙上における画像濃度が表面と裏面とで異なってしまうという問題点がある。
【００１１】
本発明は上述の問題点を解決し、無駄なマスタを用いることなく片面印刷を行うことができると共に両面印刷時には画質良好な印刷物を得ることができ、さらに設置スペースの増大を抑制することが可能な１工程両面印刷装置の提供を目的とする。
【００１２】
【課題を解決するための手段】
請求項１記載の発明は、その長さ方向に第１製版画像と第２製版画像とが２面並んだ分割製版済みマスタを外周面上に巻装する版胴及び前記版胴に対して接離自在に設けられたプレスローラーを有する印刷部と、用紙を前記印刷部に向けて給送する給紙部と、前記印刷部において印刷がなされた印刷済み用紙を機外に排出する排紙部と、前記印刷部においてその表面に印刷画像を形成された表面印刷済み用紙を一時的に貯容する補助トレイと、前記補助トレイ上に貯容された表面印刷済み用紙を前記プレスローラーの外周面に沿う態様で前記印刷部に向けて再給紙する再給紙手段と、前記印刷部を通過した用紙を前記補助トレイまたは前記排紙部の何れかに案内する切換部材とを有し、両面印刷時に、前記給紙部より１枚目の用紙を前記印刷部に給送してその表面に第１製版画像または第２製版画像の何れか一方を印刷し、印刷された１枚目の用紙を前記切換部材により前記補助トレイに案内した後、前記給紙部より２枚目の用紙を前記印刷部に給送してその表面に第１製版画像または第２製版画像の何れか一方を印刷すると共に前記再給紙手段により１枚目の用紙を前記印刷部に再給紙してその裏面に第１製版画像または第２製版画像の何れか他方を印刷し、前記切換部材により１枚目の用紙を前記排紙部に、２枚目の用紙を前記補助トレイにそれぞれ案内し、前記再給紙手段は、前記補助トレイ上に貯容された表面印刷済み用紙を前記プレスローラーに向けて搬送する再給紙搬送部材と、前記再給紙搬送部材によって搬送された表面印刷済み用紙を前記プレスローラーの手前の所定位置で一時停止させる再給紙位置決め部材と、前記再給紙位置決め部材によって所定位置で一時停止された表面印刷済み用紙を所定のタイミングで回転中の前記プレスローラーに接触させる再給紙レジスト部材と、前記再給紙レジスト部材によって回転中の前記プレスローラーに接触され前記プレスローラーの回転力によって搬送される表面印刷済み用紙を前記プレスローラーの周面に当接させて前記版胴に向けて案内する再給紙案内部材とを有することを特徴とする。
【００１５】
請求項２記載の発明は、請求項１記載の両面印刷装置において、さらに前記補助トレイは前記排紙部の下方に配設されていることを特徴とする。
【００１６】
請求項３記載の発明は、請求項１または２記載の両面印刷装置において、さらに前記プレスローラーを回転自在に支持するプレスローラー支持部材と、前記プレスローラー支持部材を揺動させて前記プレスローラーを前記版胴に対して接離させるプレスローラー接離機構と、前記再給紙レジスト部材を支持する再給紙レジスト支持部材とを有し、前記再給紙レジスト支持部材が前記プレスローラー支持部材に揺動自在に設けられると共に前記再給紙レジスト支持部材を揺動させて前記再給紙レジスト部材を前記プレスローラーに対して接離させる再給紙レジスト接離機構を有することを特徴とする両面印刷装置。
【００１７】
請求項４記載の発明は、請求項３記載の両面印刷装置において、さらに前記プレスローラー接離機構は、印刷開始直後の前記版胴の１回転目は第１製版画像または第２製版画像の何れか他方が前記プレスローラーの周面に接触しないように前記プレスローラーを前記版胴から離隔させると共に、印刷終了直前の前記版胴の最終回転目は第１製版画像または第２製版画像の何れか一方が前記プレスローラーの周面に接触しないように前記プレスローラーを前記版胴から離隔させることを特徴とする。
【００１８】
請求項５記載の発明は、請求項１ないし４の何れか１つに記載の両面印刷装置において、さらに前記再給紙案内部材が前記プレスローラーに当接した回転自在なローラーからなり、前記ローラーが前記プレスローラー支持部材に回転自在に支持されていることを特徴とする。
【００１９】
請求項６記載の発明は、請求項１ないし４の何れか１つに記載の両面印刷装置において、さらに前記再給紙案内部材が２個のローラー及び各ローラー間に掛け渡され前記プレスローラーに当接した無端ベルトからなり、前記各ローラーが前記プレスローラー支持部材に回転自在に支持されていることを特徴とする。
【００２０】
請求項７記載の発明は、請求項１ないし４の何れか１つに記載の両面印刷装置において、さらに前記再給紙案内部材が前記プレスローラーに当接した板部材からなり、前記板部材が前記プレスローラー支持部材に支持されていることを特徴とする。
【００２１】
請求項８記載の発明は、請求項１ないし７の何れか１つに記載の両面印刷装置において、さらに前記プレスローラーの周面をクリーニングするクリーニング部材を有することを特徴とする。
【００２２】
請求項９記載の発明は、請求項８記載の両面印刷装置において、さらに前記クリーニング部材は前記プレスローラーの周面に対して接離自在に設けられていることを特徴とする。
【００２３】
請求項１０記載の発明は、請求項９記載の両面印刷装置において、さらに前記クリーニング部材は片面印刷時に前記プレスローラーの周面から離隔した位置を占めることを特徴とする。
【００２４】
請求項１１記載の発明は、請求項１ないし７の何れか１つに記載の両面印刷装置において、さらに前記プレスローラーがプレスローラー回転駆動手段により前記版胴の周速度とほぼ同じ周速度で回転駆動されることを特徴とする。
【００２５】
請求項１２記載の発明は、請求項１１記載の両面印刷装置において、さらに前記プレスローラーは前記版胴との当接時に前記版胴からの回転力によって従動回転することを特徴とする。
【００２６】
請求項１３記載の発明は、請求項１１または１２記載の両面印刷装置において、さらに前記プレスローラー回転駆動手段は、前記プレスローラーの揺動時において前記プレスローラーの自転による位相の変化を防止する駆動力伝達手段を有することを特徴とする。
【００２７】
請求項１４記載の発明は、請求項１３記載の両面印刷装置において、さらに前記プレスローラーの直径は前記版胴の直径の２分の１ないし３分の１の範囲内にあることを特徴とする。
【００２８】
請求項１５記載の発明は、請求項１１ないし１４の何れか１つに記載の両面印刷装置において、さらに前記プレスローラーの周面をクリーニングするクリーニング部材を有することを特徴とする。
【００２９】
請求項１６記載の発明は、請求項１５記載の両面印刷装置において、さらに前記クリーニング部材は前記プレスローラーの周面に対して接離自在に設けられていることを特徴とする。
【００３０】
請求項１７記載の発明は、請求項１６記載の両面印刷装置において、さらに前記クリーニング部材は片面印刷時に前記プレスローラーの周面から離隔した位置を占めることを特徴とする。
【００３１】
請求項１８記載の発明は、請求項１６または１７記載の両面印刷装置において、さらに前記クリーニング部材が前記再給紙レジスト部材と前記再給紙案内部材との間の位置に配置され、前記クリーニング部材は前記再給紙レジスト部材によって表面印刷済み用紙が搬送されている間は前記プレスローラーの周面から離隔した位置を占めることを特徴とする。
【００３２】
請求項１９載の発明は、請求項１８記載の両面印刷装置において、さらに前記プレスローラーの周面長さが第１製版画像または第２製版画像の長さよりも長いことを特徴とする。
【００３３】
請求項２０記載の発明は、請求項１ないし１９の何れか１つに記載の両面印刷装置において、さらに前記プレスローラーはその周面が撥インキ性を有することを特徴とする。
【００３４】
請求項２１記載の発明は、請求項１ないし２０の何れか１つに記載の両面印刷装置において、さらに前記給紙部に厚紙がセットされた場合に警告を表示する第１表示手段を有することを特徴とする。
【００３５】
請求項２２記載の発明は、請求項１ないし２１の何れか１つに記載の両面印刷装置において、さらに前記給紙部にセットされた用紙のサイズと第１製版画像及び第２製版画像の画像領域サイズとが不一致の場合に警告を発する第２表示手段を有することを特徴とする。
【００３６】
請求項２３記載の発明は、請求項１ないし２２の何れか１つに記載の両面印刷装置において、さらに前記分割製版済みマスタを製版する製版部を有することを特徴とする。
【００３７】
請求項２４記載の発明は、請求項２３記載の両面印刷装置において、さらに前記製版部は前記分割製版済みマスタを製版する際に第１製版画像と第２製版画像との間に所定の空白部を設けることを特徴とする。
【００３８】
請求項２５記載の発明は、請求項２３または２４記載の両面印刷装置において、さらに前記製版部は前記分割製版済みマスタを製版する際にべた部の多い画像を用紙の裏面側に印刷される製版画像として製版することを特徴とする。
【００３９】
請求項２６記載の発明は、請求項２３ないし２５の何れか１つに記載の両面印刷装置において、さらに両面印刷時において製版すべき画像データとして第１製版画像及び第２製版画像の各画像領域を超える大きさの画像データが入力された場合に、警告を行うと共に画像データの回転あるいは縮小を案内して操作の手助けを行う機能を有することを特徴とする。
【００４０】
請求項２７記載の発明は、請求項２３ないし２６の何れか１つに記載の両面印刷装置において、さらに両面印刷時において製版すべき画像データが連続的に入力され、前記分割製版済みマスタの製版と印刷とを繰り返し行って複数ページの両面印刷物を得る際に、画像データ数が奇数の場合には最終ページに空白のページを追加して両面印刷時と同様の製版及び印刷動作を行うことを特徴とする。
【００４１】
【実施例】
図１は、本発明の第１の実施例を採用した両面印刷装置を示している。同図において両面印刷装置１は、印刷部２、製版部３、給紙部４、排版部５、排紙部６、画像読取部７、補助トレイ８、再給紙手段９、切換部材１０等を有している。
【００４２】
印刷装置本体１１のほぼ中央に配設された印刷部２は、版胴１２とプレスローラー１３とを有している。
版胴１２は、インキ供給パイプを兼ねた支軸１４に回転自在に支持された図示しない一対のフランジと、各フランジの外周面に巻装された図示しない多孔性支持板と、図示しない多孔性支持板の外周面に巻装された図示しないメッシュスクリーンとから主に構成されており、版胴駆動手段１２１（図８参照）によって回転駆動されると共に印刷装置本体１１に対して着脱可能に構成されている。本実施例において版胴１２は、片面印刷時において最大でＡ３サイズの印刷物を得ることが可能な大きさを有している。
【００４３】
版胴１２の内部にはインキ供給手段１５が配設されている。インキ供給手段１５は、支軸１４、インキローラー１６、ドクターローラー１７等を有している。
インキローラー１６は版胴１２内に設けられた図示しない側板間に回転自在に支持されており、その周面を版胴１２の内周面に近接して配置され、図示しない駆動手段によって版胴１２と同方向に回転駆動される。ドクターローラー１７も前記側板間に回転自在に支持されており、その周面をインキローラー１６の周面に近接して配置され、図示しない駆動手段によって版胴１２とは逆方向に回転駆動される。支軸１４には複数の小さな孔が穿設されており、支軸１４から供給されたインキがインキローラー１６とドクターローラー１７との近接部に形成される断面楔形状の空間に溜まることによりインキ溜まり１８が形成される。
【００４４】
版胴１２の外周面上には、版胴１２の一母線に沿った平面をなす図示しないステージ部が形成されており、この上には版胴１２の外周面上にマスタの先端を保持させるクランパー１９が配設されている。クランパー１９は、版胴１２が所定の位置まで回転されたときに図示しない開閉手段によって開閉される。
【００４５】
版胴１２の下方にはプレスローラー１３が配設されている。プレスローラー１３は金属製の芯部１３ａにゴム等の弾性体を巻成して構成されており、版胴１２の軸方向に延在して設けられている。プレスローラー１３は、図２に示すように芯部１３ａの両端部をプレスローラー支持部材としての一対のアーム部材２０によって回転自在に支持されている。ほぼＬ字形状を呈する各アーム部材２０は、その曲折部近傍の部位に取り付けられた揺動軸２１によってそれぞれ一体化されており、揺動軸２１は印刷装置本体１１によって回動自在に支持されている。本実施例においてプレスローラー１３は、少なくともその周面がポリテトラフルオロエチレン樹脂等の撥インキ性を有する部材によって構成されている。
【００４６】
各アーム部材２０間には、プレスローラー１３の他、再給紙案内部材２２、再給紙レジスト部材としての再給紙レジストローラー２３、再給紙位置決め部材２４、再給紙搬送部材２５、クリーニング部材としてのクリーニングローラー２６、ガイド板２７等が設けられている。
【００４７】
プレスローラー１３の右方近傍に配設された再給紙案内部材２２は、各支軸２８ａ，２９ａ，３０ａ上にそれぞれ一体的に設けられそれぞれの周面をプレスローラー１３の周面に圧接させた複数のころ状のローラー２８，２９，３０と、用紙Ｐをプレスローラー１３の周面に沿わせるための曲面状に形成された用紙ガイド板３１とを有している。各支軸２８ａ，２９ａ，３０ａはそれぞれの両端部を各アーム部材２０に回転自在に支持されており、図示しない付勢手段によってそれぞれ芯部１３ａに向けて付勢されている。各ローラー２８，２９，３０は、対応する支軸２８ａ，２９ａ，３０ａに、プレスローラー１３のほぼ全幅にわたってそれぞれ所定の間隔をもって一体的に取り付けられている。用紙ガイド板３１はプレスローラー１３の周面から各ローラー２８，２９，３０の半径よりも小さな距離である所定距離だけ離れた位置に配設されており、その両端部を各アーム部材２０に固着されている。用紙ガイド板３１は芯部１３ａを中心とした曲面となるように形成されており、用紙ガイド板３１には各ローラー２８，２９，３０の周面をプレスローラー１３の周面に当接させるための複数の開口部が形成されている。
【００４８】
プレスローラー１３の下方には再給紙レジストローラー２３が配設されている。ころ状の再給紙レジストローラー２３は支軸２３ａに回転自在に支持されており、支軸２３ａは再給紙レジスト支持部材としての揺動アーム３２の一端に取り付けられている。ほぼへ字形状を呈する揺動アーム３２は各アーム部材２０間に固設された支軸３２ａにその曲折部を揺動自在に支持されており、その配設位置は再給紙レジストローラー２３がプレスローラー１３の幅方向のほぼ中央部に位置し、かつ自身が各ローラー３０の配設位置の中間に位置するように定められている。揺動アーム３２の他端には、図示しないブラケットを介して一方のアーム部材２０に取り付けられたソレノイド３３のプランジャ３３ａと、一端を一方のアーム部材２０に固着され揺動アーム３２に対して支軸３２ａを中心に図２において反時計回り方向への回動付勢力を付与する引張ばね３４の他端とが取り付けられている。この構成より再給紙レジストローラー２３は、ソレノイド３３が作動されるとその周面を所定の圧接力でプレスローラー１３の周面に圧接する図２に実線で示す圧接位置を占め、ソレノイド３３の作動が解除されると引張ばね３４の付勢力によってその周面がプレスローラー１３の周面から離間する図２に二点鎖線で示す離間位置を占める。ソレノイド３３と引張ばね３４とによって再給紙レジスト接離機構４０が構成されている。
【００４９】
再給紙レジストローラー２３の上方近傍には再給紙位置決め部材２４が配設されている。再給紙位置決め部材２４は断面Ｌ字形状を呈する板材からなり、その幅はプレスローラー１３の幅とほぼ同じ幅となるように形成されていて、その曲折端部２４ａが上方を向く態様で両端部を各アーム部材２０に固着されている。再給紙位置決め部材２４には、再給紙レジストローラー２３が揺動時に衝突しないための図示しない切欠部が形成されている。
【００５０】
プレスローラー１３の下方であって再給紙位置決め部材２４の左方には再給紙搬送部材２５が配設されている。再給紙搬送部材２５は、搬送部材本体３５、駆動ローラー３６、従動ローラー３７、無端ベルト３８、吸引ファン３９等を有しており、その上面に補助トレイ８を一体的に有している。
【００５１】
上面が開放され、その幅が各アーム部材２０間の間隔よりも若干小さくなるように形成された筐体である搬送部材本体３５は用紙搬送方向上流側及び下流側の両側面に図示しない軸受を有しており、図示しない各軸受は駆動軸３６ａ及び従動軸３７ａをそれぞれ回転自在に支持している。駆動軸３６ａはその両端部が搬送部材本体３５の両側面を貫通しており、貫通した両端部は印刷装置本体１１に設けられた図示しない軸受部材によって回転自在に支持されている。また、駆動軸３６ａの一端には図示しない駆動ギヤが取り付けられており、駆動軸３６ａは印刷装置本体１１に設けられた搬送部材駆動モーター１２２（図８参照）によって回転駆動される。従動軸３７ａはその両端部が搬送部材本体３５の両側面を貫通しないように構成されている。搬送部材本体３５の用紙搬送方向上流側端部の両側面外側にはボス３５ａがそれぞれ一体的に設けられており、各ボス３５ａは各アーム部材２０に形成された図示しない長穴にそれぞれ嵌合されている。この構成より搬送部材本体３５は、後述するプレスローラー接離機構５５によりプレスローラー１３が版胴１２に対して接離される際に、各アーム部材２０の揺動に伴って駆動軸３６ａを中心とした揺動が可能となっている。
【００５２】
ころ状をなす複数の駆動ローラー３６はそれぞれ駆動軸３６ａに一体的に取り付けられており、各駆動ローラー３６間にはそれぞれ所定の間隔が設けられている。駆動ローラー３６と同形状である複数の従動ローラー３７は、各駆動ローラー３６と同間隔でそれぞれ従動軸３７ａに一体的に取り付けられている。各駆動ローラー３６とこれに対応した各従動ローラー３７との間には、図示しない複数の穴部を有する無端ベルト３８が所定の張力で掛け渡されている。摩擦抵抗部材からなる無端ベルト３８は、搬送部材駆動モーター１２２によって駆動軸３６ａが回転駆動されることにより図２に矢印で示す方向に移動される。
【００５３】
搬送部材本体３５の下面には吸引ファン３９が一体的に取り付けられており、搬送部材本体３５の上面には補助トレイ８が一体的に取り付けられている。補助トレイ８には各無端ベルト３８を用紙搬送面に臨ませるための図示しない複数の開口部が形成されており、その用紙搬送方向下流側端部には搬送される用紙Ｐを受け止めるためのフェンス８ａが一体的に形成されている。吸引ファン３９の取付面である搬送部材本体３５の下面には図示しない穴部が設けられており、これにより吸引ファン３９が作動することで筐体である搬送部材本体３５の内部に負圧を発生させ、移動する各無端ベルト３８の上面に用紙Ｐを吸引させる。吸引ファン３９の吸引力及び無端ベルト３８の摩擦抵抗力は、用紙Ｐの先端が再給紙位置決め部材２４の曲折端部２４ａに当接した際に、用紙Ｐと各無端ベルト３８との間で滑りが発生する程度の強さにそれぞれ設定されている。
上述した再給紙案内部材２２、再給紙レジストローラー２３、再給紙位置決め部材２４、及び再給紙搬送部材２５によって再給紙手段９が構成されている。
【００５４】
プレスローラー１３の近傍であって再給紙搬送部材２５の上方に位置する部位には、プレスローラー１３の周面をクリーニングするクリーニングローラー２６が配設されている。プレスローラー１３の幅とほぼ同じ幅を有するクリーニングローラー２６は、少なくともその表面が和紙やスポンジ等の吸湿性の高い材質によって構成されており、その中心に芯部２６ａを一体的に有している。クリーニングローラー２６は芯部２６ａを各アーム部材２０に形成された図示しない長穴に嵌合されることで回転自在に支持されており、この長穴内に設けられた図示しない付勢手段によってプレスローラー１３に向けて付勢され、その周面をプレスローラー１３の周面に所定の圧接力で常時圧接されている。クリーニングローラー２６は、一方のアーム部材２０に設けられた図示しないクリーニングローラー駆動手段によって、プレスローラー１３の回転時においてプレスローラー１３と同方向に、プレスローラー１３の周速度の１０分の１程度の周速度で回転駆動される。
【００５５】
クリーニングローラー２６の左上方にはガイド板２７が配設されている。板材であるガイド板２７はその両端部を各アーム部材２０に固設されており、プレスローラー１３によって版胴１２に圧接された用紙Ｐがクリーニングローラー２６に触れないように、かつ補助トレイ８に向かうように案内する。ガイド板２７はプレスローラー１３及びクリーニングローラー２６の周面に近接する位置に配設されている。
【００５６】
各アーム部材２０のプレスローラー１３が支持された一端側と対向する他端側には、それぞれ回転自在なカムフォロア４１が互いに外側を向く態様で配設されている。また、各アーム部材２０のカムフォロア４１が配設された位置の近傍には、一端を印刷装置本体１１に固着された印圧ばね４２の他端がそれぞれ取り付けられている。これにより各アーム部材２０は、揺動軸２１を中心に図において時計回り方向への回動付勢力をそれぞれ付与されている。
【００５７】
各カムフォロア４１の左方近傍には、３枚のカム板４３Ａ，４３Ｂ，４３Ｃを有する多段カム４３がそれぞれ配設されている。各カム板４３Ａ，４３Ｂ，４３Ｃは、両端を印刷装置本体１１に回転自在かつ図２の紙面方向に移動自在に支持されたカム軸４４にそれぞれ所定の間隙をもって固着されており、装置手前側からカム板４３Ｂ、カム板４３Ａ、カム板４３Ｃの順に配設されている。各カム板４３Ａ，４３Ｂ，４３Ｃは、カム軸４４と同心の円板である基部とそれぞれ同一突出量の凸部とを有している。多段カム４３は、図４に示すように、カム軸４４に取り付けられた駆動ギヤ４５及び印刷装置本体１１に回転自在に支持された支軸４６に取り付けられた伝達ギヤ４７を介して版胴駆動手段１２１からの回転力を伝達され、図２において時計回り方向に回転駆動される。
【００５８】
プレスローラー１３は、各カム板４３Ａ，４３Ｂ，４３Ｃの何れかの凸部がカムフォロア４１と当接したときにその周面が版胴１２の周面より離間する図２に示す離間位置を占め、何れかの凸部とカムフォロア４１との当接が解除されたときに印圧ばね４２の付勢力によってその周面が版胴１２の周面に圧接する図３に示す圧接位置を占める。各カム板４３Ａ，４３Ｂ，４３Ｃは、プレスローラー１３が圧接位置を占めたときにその基部とカムフォロア４１とが接触しないように構成されている。各カム板４３Ａ，４３Ｂ，４３Ｃの凸部の形状は、プレスローラー１３と版胴１２との接触範囲が、カム板４３Ａでは図１に示す表面領域と中間領域と裏面領域とを全て合わせた範囲となるように、カム板４３Ｂでは表面領域と同じ範囲となるように、カム板４３Ｃでは表面領域の下流側部分と中間領域と裏面領域とを合わせた範囲となるようにそれぞれ形成されている。また、各カム板４３Ａ，４３Ｂ，４３Ｃ間の間隔は、アーム部材２０の板厚よりも十分に大きくなるように設定されている。
【００５９】
図２において各アーム部材２０の右方近傍には、プレスローラー１３が離間位置を占めた状態で各アーム部材２０の揺動を禁止する、図示しないプレスローラー係止手段が配設されている。図示しないプレスローラー係止手段は図示しないソレノイドを有しており、この図示しないソレノイドのオン・オフの切り換えによって各アーム部材２０を保持する状態と保持を解除する状態とが選択的に切り換えられる。図示しないソレノイドは、カムフォロア４１が各カム板４３Ａ，４３Ｂ，４３Ｃの何れかの凸部と当接した状態で作動される。
【００６０】
カム軸４４の下方近傍には、図４に示すように移動アーム４８と段差カム４９とが配設されている。ほぼＬ字形状を呈する移動アーム４８は、印刷装置本体１１に回転自在に支持された支軸４８ａにその曲折部を取り付けられており、移動アーム４８の一端にはローラー４８ｂが、また他端にはカムフォロア４８ｃがそれぞれ回転自在に取り付けられている。さらに移動アーム４８の他端と曲折部との間の部位には、一端を印刷装置本体１１に取り付けられた引張ばね５０の他端が取り付けられており、移動アーム４８には支軸４８ａを中心に、図において時計回り方向への回動付勢力が付与されている。
【００６１】
ローラー４８ｂはカム軸４４の中程に間隔をおいて固着された円板４４ａ，４４ｂ間に配置されており、カムフォロア４８ｃは引張ばね５０の付勢力によりその周面を段差カム４９の周面に当接させている。各円板４４ａ，４４ｂ間の間隔は、ローラー４８ｂの直径よりも僅かに大きくなるように設定されている。
【００６２】
段差カム４９はその周面に３箇所のカム部４９ａ，４９ｂ，４９ｃを有しており、印刷装置本体１１に回転自在に支持された支軸５１に固着されている。支軸５１には、印刷装置本体１１に取り付けられたステッピングモーター５２の出力軸に取り付けられたギヤ５３と噛合するギヤ５４が取り付けられており、ステッピングモーター５２の作動により段差カム４９は図４の矢印方向に回転駆動される。この構成より、ステッピングモーター５２が作動して段差カム４９が回転すると移動アーム４８が支軸４８ａを中心に揺動し、ローラー４８ｂが円板４４ａあるいは円板４４ｂを押すことでカム軸４４が図４の左右方向に移動する。
【００６３】
各カム部４９ａ，４９ｂ，４９ｃは、カムフォロア４８ｃとカム部４９ａとが当接したときにカム板４３Ｂがカムフォロア４１と当接可能位置となるように、カムフォロア４８ｃとカム部４９ｂとが当接したときにカム板４３Ａがカムフォロア４１と当接可能位置となるように、カムフォロア４８ｃとカム部４９ｃとが当接したときにカム板４３Ｃがカムフォロア４１と当接可能位置となるようにカム軸４４を移動させる形状にそれぞれ形成されている。
【００６４】
上述したカムフォロア４１、印圧ばね４２、多段カム４３、図示しないプレスローラー係止手段、移動アーム４８、段差カム４９によってプレスローラー接離機構５５が構成されており、このプレスローラー接離機構５５の作動によってプレスローラー１３は図２に示す離間位置と図３に示す圧接位置とを選択的に占める。
【００６５】
版胴１２とプレスローラー１３との接触位置の左方であって用紙Ｐの搬送経路上には、用紙Ｐの搬送経路を切り換える切換部材１０が配設されている。版胴１２及びプレスローラー１３とほぼ同じ幅を有する板材からなる切換部材１０は、その用紙搬送方向下流側端部を印刷装置本体１１に回動自在に支持された支軸に固着されており、ソレノイド１２３（図８参照）が作動することによって断面鋭角状に形成された用紙搬送方向上流側端部を図１に実線で示す第１の位置と二点鎖線で示す第２の位置とに選択的に位置決めされる。切換部材１０は、第１の位置を占めたときにその先端がプレスローラー１３の周面に近接すると共に版胴１２上のクランパー１９と干渉しない位置に置かれ、第２の位置を占めたときにその先端が版胴１２の周面に近接する位置に置かれる。版胴１２とプレスローラー１３との間を通過した用紙Ｐは、切換部材１０が第１の位置を占めたときに排紙部６へと案内され、切換部材１０が第２の位置を占めたときにガイド板２７と印刷装置本体１１に固着されたガイド板５６との間を通って補助トレイ８へと案内される。
【００６６】
印刷装置本体１１の右上部には製版部３が配設されている。製版部３は、マスタ保持部材５７、プラテンローラー５８、サーマルヘッド５９、切断手段６０、マスタストック部６１、テンションローラー対６２、反転ローラー対６３等を有している。製版部３は後述するマスタ６４に製版を行い、図５に示すような第１製版画像６５Ａと第２製版画像６５Ｂとを有する分割製版済みマスタ６５、あるいは図６に示すような第１製版画像６５Ａと第２製版画像６５Ｂとの２面分の画像量域を有する第３製版画像６６Ａを有する製版済みマスタ６６を作成する。第１製版画像６５Ａは、分割製版済みマスタ６５が版胴１２の外周面上に巻装されたときに図１に示す表面領域と対応する位置に形成され、第２製版画像６５Ｂは裏面領域と対応する位置に形成される。
【００６７】
マスタ保持部材５７は印刷装置本体１１の図示しない側板対にそれぞれ設けられており、熱可塑性樹脂フィルムと多孔性支持体とを貼り合わせたマスタ６４をロール状に巻成してなるマスタロール６４ａの芯部６４ｂの両端を回転自在かつ着脱自在に支持する。
【００６８】
マスタ保持部材５７の左方に設けられたプラテンローラー５８は印刷装置本体１１の図示しない側板に回転自在に支持されており、ステッピングモーターを含む製版駆動手段１２４（図８参照）によって回転駆動される。プラテンローラー５８の下方に位置し多数の発熱素子を有するサーマルヘッド５９は印刷装置本体１１の図示しない側板に取り付けられており、図示しない付勢手段の付勢力によってその発熱素子面をプラテンローラー５８に圧接されている。サーマルヘッド５９はマスタ６４の熱可塑性樹脂フィルム面に接触しつつ発熱素子を選択的に発熱させ、マスタ６４に対して熱溶融穿孔製版を行う。
【００６９】
プラテンローラー５８及びサーマルヘッド５９の左方には切断手段６０が配設されている。印刷装置本体１１の図示しないフレームに固設された固定刃６０ａと、この固定刃６０ａに移動自在に支持された可動刃６０ｂとを有する切断手段６０は、固定刃６０ａに対して可動刃６０ｂが回転移動することによりマスタ６４を切断する周知の構成である。
【００７０】
切断手段６０のマスタ搬送方向下流側下方にはマスタストック部６１が配設されている。分割製版済みマスタ６５あるいは製版済みマスタ６６を一時的に貯容する空間であるマスタストック部６１は複数の板部材によってその内部を仕切られており、その最奥部には図示しない吸引ファンが配設されている。この吸引ファンが作動することにより密閉された空間であるマスタストック部６１の内部に負圧が発生し、製版して搬送されてきた分割製版済みマスタ６５あるいは製版済みマスタ６６はマスタストック部６１の最奥部に向けて貯容される。
【００７１】
切断手段６０とマスタストック部６１との間の部位にはテンションローラー対６２が配設されている。それぞれ印刷装置本体１１の図示しない側板に回転自在に支持された駆動ローラー６２ａと従動ローラー６２ｂとからなるテンションローラー対６２は、従動ローラー６２ｂが図示しない付勢手段によってその周面を駆動ローラー６２ａの周面に圧接されており、製版駆動手段１２４によって駆動ローラー６２ａが回転駆動されることによりマスタ６４を挟持して搬送する。駆動ローラー６２ａは、その周速度がプラテンローラー５８の周速度よりも若干速く設定されていると共にその内部には図示しないトルクリミッターが設けられており、プラテンローラー５８とテンションローラー対６２との間においてマスタ６４に対して所定の張力が付与されるように構成されている。
【００７２】
マスタストック部６１のマスタ搬送方向下流側には、それぞれ印刷装置本体１１の図示しない側板に回転自在に支持された駆動ローラー６３ａと従動ローラー６３ｂとからなる反転ローラー対６３が配設されている。反転ローラー対６３は、製版駆動手段１２４によって回転駆動される駆動ローラー６３ａと図示しない付勢手段によってこれに圧接配置された従動ローラー６３ｂとによってマスタ６４を挟持して搬送する。駆動ローラー６３ａの内部には図示しないワンウェイクラッチが設けられている。
【００７３】
また、テンションローラー対６２と反転ローラー対６３との間の部位には、図示しない可動マスタガイド板が配設されている。この可動マスタガイド板は図示しない支持部材に揺動自在に支持されており、図示しないソレノイドによってその上面がマスタ６４の搬送路を構成する搬送位置と、マスタ６４のマスタストック部６１への進入を妨げない退避位置とに選択的に位置決めされる。
【００７４】
製版部３の下方には給紙部４が配設されている。給紙部４は、給紙トレイ６７、給紙ローラー６８、分離ローラー６９、分離パッド７０、レジストローラー対７１等を有している。
上面に多数の用紙Ｐを積載可能な給紙トレイ６７は印刷装置本体１１に上下動自在に支持されており、昇降手段を含む給紙駆動手段１２５（図８参照）によって上下動される。Ａ３サイズの用紙Ｐを縦置き可能な給紙トレイ６７の上面には、図示しないレール部材によって用紙搬送方向と直行する用紙幅方向に移動自在に支持された一対のサイドフェンス７２が設けられている。また、給紙トレイ６７の自由端部側には、積載された用紙Ｐのサイズを検知する複数の用紙サイズ検知センサー７３が設けられている。
【００７５】
給紙トレイ６７の上方には、表面に高摩擦抵抗部材を有する給紙ローラー６８が配設されている。給紙ローラー６８は印刷装置本体１１に揺動自在に支持された図示しないブラケットに回転自在に支持されており、給紙トレイ６７が図示しない昇降手段によって上昇されたときに所定の圧接力で給紙トレイ６７上の最上位の用紙Ｐに圧接する。給紙ローラー６８は給紙駆動手段１２５によって回転駆動される。
【００７６】
給紙ローラー６８の左方には、表面にそれぞれ高摩擦抵抗部材を有する分離ローラー６９と分離パッド７０とが配設されている。分離ローラー６９はタイミングベルト６９ａを介して給紙ローラー６８に駆動連結されており、給紙ローラー６８の回転駆動時にこれと同期して同方向に回転駆動される。分離パッド７０は図示しない付勢手段の付勢力によって分離ローラー６９に圧接されている。
【００７７】
分離ローラー６９及び分離パッド７０の左方にはレジストローラー対７１が配設されている。駆動ローラー７１ａと従動ローラー７１ｂとからなるレジストローラー対７１は、版胴駆動手段１２１からの回転駆動力をギヤやカム等の図示しない駆動力伝達手段によって伝達されることで駆動ローラー７１ａが版胴１２と同期した所定のタイミングで回転し、駆動ローラー７１ａに圧接された従動ローラー７１ｂとによって用紙Ｐを印刷部２に向けて所定のタイミングで給送する。
【００７８】
印刷部２の左上方には排版部５が配設されている。排版部５は、上排版部材７４、下排版部材７５、排版ボックス７６、圧縮板７７等を有している。
上排版部材７４は、駆動ローラー７８、従動ローラー７９、無端ベルト８０等を有し、排版駆動手段１２６（図８参照）によって駆動ローラー７８が図の時計回り方向に回転駆動されることにより無端ベルト８０が図１の矢印方向に移動する。下排版部材７５は、駆動ローラー８１、従動ローラー８２、無端ベルト８３等を有し、駆動ローラー７８を回転駆動する排版駆動手段１２６の駆動力をギヤやベルト等の図示しない駆動力伝達手段によって伝達されることで駆動ローラー８１が図の反時計回り方向に回転駆動されることにより、無端ベルト８３が図１の矢印方向に移動する。また、下排版部材７５は排版駆動手段１２６に含まれる図示しない移動手段によって移動自在に設けられており、図に示す位置と従動ローラー８２の外周面上に位置する無端ベルト８３が版胴１２の外周面に当接する位置とを選択的に占める。
【００７９】
内部に使用済みマスタを貯容する排版ボックス７６は、印刷装置本体１１に対して着脱自在に設けられている。上排版部材７４と下排版部材７５とによって運ばれた使用済みマスタを排版ボックス７６の内部に押し込む圧縮板７７は印刷装置本体１１に上下動自在に支持されており、排版駆動手段１２６に含まれる図示しない昇降手段によって上下動される。
【００８０】
排版部５の下方には排紙部６が配設されている。排紙部６は、剥離爪８４、排紙搬送部材８５、排紙トレイ８６等を有している。
剥離爪８４は版胴１２の幅方向に複数配置され、印刷装置本体１１に揺動自在に支持された支軸にそれぞれ一体的に取り付けられている。複数の剥離爪８４は図示しない爪揺動手段によって揺動され、その先端が版胴１２の周面に近接する図に示す位置と、クランパー１９等の障害物を回避するためにその先端が版胴１２の外周面から離間する位置とを選択的に占める。図示しない爪揺動手段は、版胴駆動手段１２１からの駆動力を図示しない駆動力伝達手段により伝達され、版胴１２の回転と同期して剥離爪８４を揺動させる。
【００８１】
剥離爪８４の下方であって切換部材１０の左方に配設された排紙搬送部材８５は、駆動ローラー８７、従動ローラー８８、無端ベルト８９、吸引ファン９０等を有している。ころ状の駆動ローラー８７は図示しないユニット側板に回転自在に支持された図示しない支軸に所定の間隔で複数取り付けられており、排紙駆動手段１２７（図８参照）によってそれぞれ一体的に回転駆動される。従動ローラー８８も同側板に回転自在に支持された図示しない支軸に各駆動ローラー８７と等間隔で複数設けられており、各駆動ローラー８７及びこれと対応する各従動ローラー８８には複数の孔を有する無端ベルト８９がそれぞれ掛け渡されている。駆動ローラー８７、従動ローラー８８、無端ベルト８９の下方には吸引ファン９０が配設されている。排紙搬送部材８５は、吸引ファン９０の吸引力によって各無端ベルト８９上に用紙Ｐを吸引し、各駆動ローラー８７の回転によって用紙Ｐを図１の矢印方向に搬送する。
排紙搬送部材８５によって搬送された用紙Ｐをその上面に積載する排紙トレイ８６は、用紙搬送方向に移動自在な１個のエンドフェンス９１と、用紙幅方向に移動自在な一対のサイドフェンス９２とを有している。
【００８２】
印刷装置本体９の上部には画像読取部７が配設されている。画像読取部７は、原稿を載置するコンタクトガラス９３、コンタクトガラス９３に対して接離自在に設けられた圧板９４、原稿画像を走査して読み取る反射ミラー９５，９６，９７，９８及び蛍光灯９９、走査された原稿画像を集束するレンズ１００、集束された画像を処理するＣＣＤ等の画像センサー１０１、原稿のサイズを検知する複数の原稿サイズ検知センサー１０２、読み取られた画像データを記憶する画像メモリ１３５等を有しており、原稿画像の読取動作は読取駆動手段１２８（図８参照）の作動によって行われる。
【００８３】
また、図１に示すように、版胴１２を構成する図示しないフランジの外面にはドグ１３３が取り付けられており、版胴１２の周囲近傍には印刷装置本体１１に取り付けられたホームポジションセンサー１３４が配設されている。ホームポジションセンサー１３４は、クランパー１９がプレスローラー１３と対向する位置を版胴１２が占めたときにドグ１３３を検知して後述する制御手段１２９に向けて信号を出力する。
【００８４】
図７は両面印刷装置１の操作パネルを示している。同図において印刷装置本体１１の上部前面に設けられた操作パネル１０３は、その上面に製版スタートキー１０４、印刷スタートキー１０５、試し刷りキー１０６、連続キー１０７、クリア／ストップキー１０８、テンキー１０９、エンターキー１１０、プログラムキー１１１、モードクリアキー１１２、印刷速度設定キー１１３、４方向キー１１４、用紙サイズ設定キー１１５、用紙厚み設定キー１１６、両面印刷キー１１７、片面印刷キー１１８、７セグメントＬＥＤからなる表示装置１１９、ＬＣＤからなる表示装置１２０等を有している。
【００８５】
製版スタートキー１０４は両面印刷装置１に製版動作を行わせる際に押下され、製版スタートキー１０４が押下されると排版動作及び原稿読取動作が行われた後に製版動作が行われ、その後、版付け動作が行われて両面印刷装置１は印刷待機状態となる。印刷スタートキー１０５は両面印刷装置１に印刷動作を行わせる際に押下され、両面印刷装置１が印刷待機状態となり各種印刷条件が設定された後に印刷スタートキー１０５が押下されることにより印刷動作が行われる。試し刷りキー１０６は両面印刷装置１に試し刷りを行わせる際に押下され、各種条件が設定された後に試し刷りキー１０６が押下されることにより１枚だけ印刷が行われる。連続キー１０７は製版動作と印刷動作とを連続して行う際に製版スタートキー１０４の押下前に押下され、連続キー１０７の押下後、印刷条件が入力された後に製版スタートキー１０４が押下されると、排版動作、原稿読取動作、製版動作に引き続いて印刷動作が行われる。
【００８６】
クリア／ストップキー１０８は両面印刷装置１の動作を停止させる際あるいは置数のクリア時に押下され、テンキー１０９は数値入力に用いられる。エンターキー１１０は各種設定時に数値等を設定する際に、プログラムキー１１１はよく行う操作を登録したりそれを呼び出したりする際にそれぞれ押下され、モードクリアキー１１２は各種のモードをクリアして初期状態に戻す際に押下される。印刷速度設定キー１１３は印刷動作に先立って印刷速度を設定する際に押下され、濃いめの画像を得たい場合あるいは雰囲気温度が低い場合等には印刷速度を遅く、薄めの画像を得たい場合あるいは雰囲気温度が高い場合等には印刷速度を速く設定する。４方向キー１１４は上キー１１４ａ、下キー１１４ｂ、左キー１１４ｃ、右キー１１４ｄを有しており、画像編集時に画像位置を調整する場合あるいは各種設定時に数値や項目等を選択する場合等に押下される。
【００８７】
用紙サイズ設定キー１１５は用紙サイズを任意で入力する際に押下され、用紙サイズ設定キー１１５で入力された用紙サイズは用紙サイズ検知センサー７３によって検知された用紙サイズに優先される。用紙厚み設定キー１１６は両面印刷に先立って用紙Ｐの厚みを入力する際に押下され、本実施例では「普通紙」、「薄紙」、「厚紙」の３種類のうちの何れかを選択する構成となっている。
【００８８】
両面印刷キー１１７は両面印刷装置１に両面印刷動作を行わせる際に製版スタートキー１０４の押下前に押下され、両面印刷キー１１７が押下されるとその近傍に配置されたＬＥＤ１１７ａが点灯してオペレーターに両面印刷モードであることが表示される。また、両面印刷キー１１７が押下された際には、用紙厚み設定キー１１６によって使用する用紙Ｐの厚みを入力した後でないと製版スタートキー１０４の入力が拒否される。片面印刷キー１１８も両面印刷キー１１７と同様に両面印刷装置１に片面印刷動作を行わせる際にスタートキー１０４の押下前に押下され、片面印刷キー１１８が押下されるとその近傍に配置されたＬＥＤ１１８ａが点灯してオペレーターに片面印刷モードであることが表示される。両面印刷装置１は初期状態時においてＬＥＤ１１８ａが点灯しており、片面印刷モードとなっている。
【００８９】
７セグメントＬＥＤからなる表示装置１１９は、主に印刷枚数等の数字を表示する。ＬＣＤからなる表示装置１２０は階層表示構造となっており、その下方に設けられた選択設定キー１２０ａ，１２０ｂ，１２０ｃ，１２０ｄを押下することにより、変倍や位置調整等の様々なモードへの変更及び各モードでの設定が可能に構成されている。また表示装置１２０には、図示したように「製版・プリントできます」のような両面印刷装置１の状態が表示される他、製版あるいは排版ジャム、給紙あるいは排紙ジャム等のアラーム、印刷用紙、マスタ、インキ等のサプライの供給指示等も表示される。
【００９０】
図８は、両面印刷装置１に用いられる制御手段のブロック図を示している。同図において制御手段１２９は、内部にＣＰＵ１３０、ＲＯＭ１３１、ＲＡＭ１３２を有する周知のマイクロコンピューターであり、印刷装置本体１１の内部に設けられている。
【００９１】
ＣＰＵ１３０は、操作パネル１０３からの各種信号及び印刷装置本体１１に設けられた各種センサーからの検知信号及びＲＯＭ１３１から呼び出された動作プログラムに基づいて、印刷部２、製版部３、給紙部４、排版部５、排紙部６、画像読取部７に設けられた各駆動手段、再給紙手段９に設けられた再給紙レジスト接離機構４０及び搬送部材駆動モーター１２２、切換部材１０を作動させるソレノイド１２３の作動等を制御し、両面印刷装置１全体の動作を制御する。ＲＯＭ１３１には両面印刷装置１全体の動作プログラムが記憶されており、この動作プログラムはＣＰＵ１３０によって適宜呼び出される。ＲＡＭ１３２は、ＣＰＵ１３０の計算結果を一時的に記憶する機能、操作パネル１０３上の各種キー及び各種センサーから設定及び入力されたデータ信号及びオン・オフ信号を随時記憶する機能等を有している。また制御手段１２９は、ホームポジションセンサー１３４からのホームポジション信号と、版胴駆動手段１２１に設けられた図示しないエンコーダーからの信号とに基づいて、版胴１２の位置の把握も行っている。
【００９２】
上述の構成に基づき、以下に第１の実施例における両面印刷装置１の動作を説明する。
オペレーターは給紙トレイ６７上に印刷に使用される用紙Ｐを積載し、圧板９４を開放してコンタクトガラス９３上に印刷すべき原稿を載置した後、再び圧板９４を閉じる。その後、操作パネル１０３上の各種キーによって製版条件を設定した後、両面印刷キー１１７あるいは片面印刷キー１１８を押下して印刷モードを設定して製版スタートキー１０４を押下する。先ず、片面印刷キー１１８を押下して片面印刷を行う場合を説明する。
【００９３】
オペレーターは片面印刷モードであることをＬＥＤ１１８ａの点灯によって確認した後、製版スタートキー１０４を押下する。製版スタートキー１０４が押下されると、用紙サイズ検知センサー７３から用紙サイズ検知信号が、また原稿サイズ検知センサー１０２から原稿サイズ検知信号がそれぞれ制御手段１２９に送られ、信号を受けた制御手段１２９は各信号を比較する。このとき、用紙サイズと原稿サイズとが同じ場合は直ちに画像読取動作が行われ、用紙サイズと原稿サイズとが異なる場合には、制御手段１２９はその旨を表示装置１２０に表示してオペレーターに注意を促す。用紙サイズと原稿サイズとが異なる場合に、制御手段１２９からの指令で自動的に拡大または縮小の変倍を行い、原稿サイズと画像サイズとを整合させるように構成してもよい。
【００９４】
製版スタートキー１０４が押下されると、画像読取部７では原稿画像の読取動作が行われる。原稿画像の読み取りは、蛍光灯９９によって露光された反射光を各反射ミラー９５，９６，９７，９８によって反射することにより行われ、読み取られた原稿画像はレンズ１００で集束された後に画像センサー１０１に入射されて光電変換される。光電変換された電気信号は印刷装置本体１１内の図示しないＡ／Ｄ変換器に入力された後、画像メモリ１３５内に画像データ信号として格納される。
【００９５】
画像読取部７での画像読取動作と並行して、排版部５では版胴１２の外周面から使用済みマスタを剥離する排版動作が行われる。製版スタートキー１０４が押下されると版胴１２が回転を開始し、版胴１２が図１に示すホームポジションに達するとドグ１３３がホームポジションセンサー１３４に検知され、ホームポジションセンサー１３４から制御手段１２９に向けてホームポジション信号が送られる。ホームポジション信号を受けた制御手段１２９は、このホームポジションを基点として図示しないエンコーダーが発するパルス数を計測し、版胴１２の外周面上に巻装された使用済みマスタの先端が従動ローラー８２の外周面上に位置する無端ベルト８３と対応する所定の排版位置に達したと判断すると、版胴駆動手段１２１の作動を停止させる。
【００９６】
版胴駆動手段１２１が停止されて版胴１２が所定の排版位置で停止すると、版胴駆動手段１２１及び排版駆動手段１２６が作動して各駆動ローラー７８，８１が回転駆動されると共に下排版部材７５が版胴１２側に移動し、従動ローラー８２の外周面上に位置する無端ベルト８３が使用済みマスタと当接する。すると、版胴１２の回転及び無端ベルト８３の移動によって版胴１２の外周面上よりすくい上げられた使用済みマスタは、下排版部材７５と上排版部材７４とで挟持搬送されて版胴１２の外周面より剥離される。剥離された使用済みマスタは排版ボックス７６内に廃棄された後、圧縮板７７によって圧縮される。
外周面上より使用済みマスタが全て剥離された後も版胴１２は回転を継続し、クランパー１９が右上方に位置する所定の給版待機位置まで回転して停止する。版胴１２が給版待機位置で停止すると図示しない開閉手段が作動してクランパー１９が開放され、両面印刷装置１は給版待機状態となる。
【００９７】
排版動作と並行して、製版部３では製版動作が行われる。製版スタートキー１０４が押下されると、プラテンローラー５８、テンションローラー対６２、反転ローラー対６３がそれぞれ回転駆動されてマスタロール６４ａよりマスタ６４が引き出される。このとき図示しない可動マスタガイド板は搬送位置に位置決めされている。マスタ６４が引き出されてその画像形成領域がサーマルヘッド５９の発熱素子と対応する位置に達すると、画像メモリ１３５内に格納されている画像データ信号が画像処理を施された後に呼び出され、図示しないサーマルヘッドドライバーがサーマルヘッド５９の各発熱素子を選択的に発熱させることにより、マスタ６４の熱可塑性樹脂フィルム面に第３製版画像６６Ａが形成される。マスタ６４は製版されつつ搬送されその先端部が反転ローラー対６３に挟持されると、図示しない可動マスタガイド板が退避位置に移動されると共に反転ローラー対６３の回転が停止される。
【００９８】
反転ローラー対６３の回転停止後もプラテンローラー５８及びテンションローラー対６２は回転を継続しており、サーマルヘッド５９によって製版された製版済みマスタ６６はマスタストック部６１内に貯容される。反転ローラー対６３の停止時においてマスタストック部６１に設けられた図示しない吸引ファンが作動されており、製版済みマスタ６６は図示しない吸引ファンに吸引されることによって良好にマスタストック部６１内に貯容される。
【００９９】
上述の製版動作中、排版動作が完了して両面印刷装置１が給版待機状態となると、反転ローラー対６３が回転を開始してマスタストック部６１内に貯容されている製版済みマスタ６６が開放されているクランパー１９に向けて搬送される。そして、製版済みマスタ６６の先端部がクランパー１９によって挟持可能な所定位置まで搬送されると、図示しない開閉手段が作動してクランパー１９が閉じられ、製版済みマスタ６６はその先端部を版胴１２の外周面上に保持される。
【０１００】
その後、版胴１２が図１において時計回り方向に間欠的に回転駆動され、製版済みマスタ６６の版胴１２への巻装動作が行われる。このとき反転ローラー対６３は回転を停止しており、駆動ローラー６３ａは内部に設けられた図示しないワンウェイクラッチによって製版済みマスタ６６の引き出しに伴い連れ回りする。そして、画像メモリ１３５からの画像データ信号が途絶えるとサーマルヘッド５９の作動が停止し、１版分の製版済みマスタ６６が製版搬送されるとプラテンローラー５８、テンションローラー対６２、反転ローラー対６３の回転がそれぞれ停止されると共に切断手段６０が作動して製版済みマスタ６６が切断される。切断された製版済みマスタ６６は版胴１２の回転によって製版部３より引き出され、版胴１２がホームポジションまで回転して停止することで製版動作及び給版動作が完了する。
【０１０１】
給版動作に引き続き版付け動作が行われる。版胴１２がホームポジションで停止するとソレノイド１２３が作動して切換部材１０が第１の位置に位置決めされた後、図示しないプレスローラー係止手段が作動すると共にステッピングモーター５２が作動して段差カム４９が回転され、そのカム部４９ｂをカムフォロア４８ｃに当接させる。これにより移動アーム４８が支軸４８ａを中心に揺動されてカム軸４４がカム板４３Ａをカムフォロア４１に対して当接可能となる位置に移動され、その後、図示しないプレスローラー係止手段の作動が解除される。
【０１０２】
その後、給紙ローラー６８、分離ローラー６９、駆動ローラー８７、吸引ファン９０がそれぞれ駆動されると共に版胴１２が低速で図１の時計回り方向に回転駆動され、給紙トレイ６７上に積載された用紙Ｐの最上位の１枚が引き出されてその先端をレジストローラー対７１に挟持される。そして、版胴１２上に巻装された製版済みマスタ６６の版胴回転方向における第３製版画像６６Ａの画像領域先端部がプレスローラー１３と対応する位置に到達する所定のタイミングで駆動ローラー７１ａが回転駆動され、引き出された用紙Ｐは版胴１２とプレスローラー１３との間に向けて給送される。
【０１０３】
版胴１２の回転に同期して、プレスローラー接離機構５５ではカム軸４４及びこれと一体に設けられた多段カム４３が回転駆動されており、上述したようにカムフォロア４１と当接可能となる位置に移動されたカム板４３Ａは、上記所定のタイミングにおいてその凸部をカムフォロア４１から離脱させる。これによりプレスローラー１３がその周面を版胴１２の外周面に印圧ばね４２の付勢力によって圧接させ、レジストローラー対７１によって給送された用紙Ｐが版胴１２に巻装された製版済みマスタ６６に押圧される。この押圧動作によりプレスローラー１３と用紙Ｐと製版済みマスタ６６と版胴１２とが圧接し、インキローラー１６によって版胴１２の内周面に供給されたインキが版胴１２の開口部より滲出し、版胴１２を構成する図示しない多孔性支持板及び図示しないメッシュスクリーン、及び版胴１２に巻装された製版済みマスタ６６の多孔性支持体に充填された後に製版済みマスタ６６の穿孔部を介して用紙Ｐに転写され、いわゆる版付けが行われる。
【０１０４】
版付けにより第３製版画像６６Ａに応じた画像を印刷された用紙Ｐは、第１の位置を占めた切換部材１０によって排紙搬送部材８５へと案内されると共に、剥離爪８４によってその先端部から版胴外周面上の製版済みマスタ６６より剥離される。剥離された用紙Ｐは下方へと落下して排紙搬送部材８５へと送られ、吸引ファン９０の吸引力によって無端ベルト８９の上面に引きつけられつつ左方へと搬送されて排紙トレイ８６上に排出される。その後、版胴１２が再びホームポジションまで回転して停止し、版付け動作を終えて両面印刷装置１は印刷待機状態となる。
【０１０５】
両面印刷装置１が印刷待機状態となった後、印刷速度設定キー１１３及び操作パネル１０３上の各種キーによって印刷条件を入力した後に試し刷りキー１０６が押下されると試し刷りが行われる。試し刷りキー１０６が押下されると、設定された印刷速度で版胴１２が回転駆動されると共に給紙部４から用紙Ｐが１枚給送される。給送された用紙Ｐはレジストローラー対７１で一時停留された後に版付け時と同じタイミングで給送され、プレスローラー１３によって版胴外周面上の製版済みマスタ６６に圧接される。画像を印刷された用紙Ｐは切換部材１０によって排紙部６へと案内された後、剥離爪８４によって版胴外周面上の製版済みマスタ６６より剥離され、排紙搬送部材８５により搬送されて排紙トレイ８６上に排出される。
【０１０６】
試し刷りにより画像の位置あるいは濃度等が確認され、テンキー１０９によって印刷枚数が入力された後に印刷スタートキー１０５が押下されると、給紙部４から用紙Ｐが連続的に給送され、試し刷りと同条件で印刷動作が行われる。そして、設定された印刷枚数が消化されると版胴１２がホームポジションで停止し、両面印刷装置１は再び印刷待機状態となる。
【０１０７】
次に、両面印刷キー１１７を押下して両面印刷を行う場合を説明する。オペレーターは両面印刷モードであることをＬＥＤ１１７ａの点灯によって確認した後、用紙厚み設定キー１１６を押下して使用する用紙Ｐの厚みを設定する。この両面印刷モードでは、用紙厚み設定キー１１６が押下されない場合には製版スタートキー１０４の入力を拒否し、用紙厚み設定キー１１６が押下されずに製版スタートキー１０４が押下された場合には、制御手段１２９は用紙の厚みを設定して下さいという旨の表示を表示装置１２０に表示させる。本実施例において、用紙厚み設定キー１１６によって設定された用紙Ｐの厚みが「普通紙」あるいは「薄紙」の場合には製版スタートキー１０４の入力が許容され、「厚紙」が設定された場合には用紙Ｐの搬送ジャムを防止するために製版スタートキー１０４の入力が拒否されると共に、制御手段１２９は表示装置１２０に正しい用紙をセットして下さいという旨の警告を表示させる。このとき表示装置１２０は第１表示手段として機能する。
【０１０８】
給紙トレイ６７上に「普通紙」あるいは「薄紙」である用紙Ｐがセットされ、用紙Ｐに基づいた用紙厚みが用紙厚み設定キー１１６によって設定された後に製版スタートキー１０４が押下されると、片面印刷時と同様に各センサー７３，１０２から用紙サイズ検知信号及び原稿サイズ検知信号がそれぞれ制御手段１２９に送られ、制御手段１２９は入力された各信号を比較する。本実施例では、版胴１２で印刷可能な最大用紙サイズがＡ３サイズであるため、両面印刷時において使用可能な用紙サイズはＡ４横置きまでである。原稿サイズと用紙サイズとを比較した結果、両サイズが同じ場合には直ちに画像読取動作が行われ、両サイズが異なる場合には、制御手段１２９はその旨を表示装置１２０に警告として表示してオペレーターに注意を促す。このとき表示装置１２０は第２表示手段として機能する。用紙サイズと原稿サイズとが異なる場合に、制御手段１２９からの指令で自動的に拡大または縮小の変倍を行って原稿サイズと画像サイズとを整合させる構成、表示装置１２０に縮小や画像データの回転等の手順を表示してオペレーターの操作の手助けを行う構成としてもよい。また、用紙サイズがＡ４横置きを超える大きさの場合には、制御手段１２９は両面印刷を禁止して片面印刷を促す旨を表示装置１２０に表示させる。
【０１０９】
製版スタートキー１０４が押下されると、画像読取部７では片面印刷時と同様に１枚目の原稿画像が読み取られる。読み取られた原稿画像は画像メモリ１３５内に１枚目の画像データ信号として格納される。１枚目の原稿の読取動作が完了して画像データ信号が画像メモリ１３５内に格納されると、制御手段１２９は表示装置１２０に２枚目の原稿をセットして下さいという旨の表示を行わせる。オペレーターはこの表示に従って圧板９４を開放してコンタクトガラス９３上より１枚目の原稿を取り除き、２枚目の原稿を載置して再び圧板９４を閉じる。圧板９４が閉じられたことを図示しないセンサーが検知し、コンタクトガラス９３上に原稿があることを他の図示しないセンサーが検知すると、１枚目と同様に２枚目の原稿の読取動作が行われる。読み取られた原稿画像は画像メモリ１３５内に２枚目の画像データ信号として格納される。
【０１１０】
なお、本実施例において、片面印刷モード時及び両面印刷モード時における原稿の読取動作はオペレーターが圧板９４を開閉してコンタクトガラス９３上に読み取られる原稿をセットする構成としたが、ＡＤＦを用いて自動的に原稿をコンタクトガラス９３上に搬送する構成、あるいは図示しない外部装置から画像データを取り込む構成としてもよい。また、両面印刷モード時において１枚の原稿を反転させて搬送し、その表面及び裏面から２枚分の画像データを取得する構成としてもよい。
【０１１１】
画像読取部７での画像読取動作と並行して、排版部５では片面印刷時と同様に排版動作が行われる。外周面上より使用済みマスタを剥離された版胴１２は給版待機位置で停止し、図示しない開閉手段によってクランパー１９が開放される。また、この排版動作と並行して製版部３では製版動作が行われる。製版動作は片面印刷モード時と同様の手順で行われるが、マスタ６４にはその熱可塑性樹脂フィルム面に第１製版画像６５Ａと第２製版画像６５Ｂとが形成される。このとき第１製版画像６５Ａと第２製版画像６５Ｂとの間には、図５に示すように所定の空白部Ｓが設けられるように各画像６５Ａ，６５Ｂが製版される。この所定の空白部Ｓは、分割製版済みマスタ６５が版胴１２の外周面上に巻装されたときに、図１に示す中間領域と対応する位置に設けられる。各画像６５Ａ，６５Ｂが形成された分割製版済みマスタ６５はマスタストック部６１内に貯容され、排版動作が完了して両面印刷装置１が給版待機状態となると、反転ローラー対６３の作動によって開放されているクランパー１９に向けて搬送される。その後、版胴１２が片面印刷モード時と同様に間欠回転され、分割製版済みマスタ６５の版胴１２への巻装が行われる。そして、画像メモリ１３５から２枚分の画像データが全て送られると、切断手段６０が作動して分割製版済みマスタ６５が切断される。切断された分割製版済みマスタ６５は版胴１２の回転によって製版部３より引き出され、版胴１２がホームポジションで停止して製版動作及び給版動作が完了する。
【０１１２】
給版動作に引き続き版付け動作が行われる。版胴１２がホームポジションで停止するとステッピングモーター５２が作動して段差カム４９が回転されると共に図示しないプレスローラー係止手段が作動され、カム部４９ａをカムフォロア４８ｃに当接させる。これにより移動アーム４８が支軸４８ａを中心に揺動されてカム軸４４がカム板４３Ｂをカムフォロア４１に対して当接可能となる位置に移動された後、図示しないプレスローラー係止手段の作動が解除される。
【０１１３】
その後、給紙ローラー６８、分離ローラー６９、各駆動ローラー３６，８７、各吸引ファン３９，９０がそれぞれ駆動されると共に版胴１２が低速で図１の時計回り方向に回転駆動され、給紙トレイ６７上から１枚目の用紙Ｐ１が引き出されてその先端をレジストローラー対７１に挟持される。そして、クランパー１９が切換部材１０と対応する位置を通過するとソレノイド１２３が作動して切換部材１０が第２の位置に位置決めされ、その後、版胴１２上に巻装された分割製版済みマスタ６５の版胴回転方向における第１製版画像６５Ａの画像領域先端部がプレスローラー１３と対応する位置に到達する所定のタイミングで駆動ローラー７１ａが回転駆動されることで、引き出された用紙Ｐ１は版胴１２とプレスローラー１３との間に向けて給送される。
【０１１４】
上記所定のタイミングにおいて、カムフォロア４１と当接可能である位置に移動されたカム板４３Ｂはその凸部をカムフォロア４１から離脱させ、プレスローラー１３が印圧ばね４２の付勢力によってその周面を版胴１２の外周面に圧接させる。これによりプレスローラー１３と用紙Ｐ１と分割製版済みマスタ６５の第１製版画像６５Ａ形成部と版胴１２とが圧接し、インキローラー１６によって版胴１２の内周面に供給されたインキが版胴１２の開口部より滲出し、版胴１２に巻装された図示しない多孔性支持板及び図示しないメッシュスクリーン、及び分割製版済みマスタ６５の多孔性支持体に充填された後に第１製版画像６５Ａの穿孔部を介して用紙Ｐ１に転写され、分割製版済みマスタ６５のうちの第１製版画像６５Ａが形成された部分の版付けが行われる。
【０１１５】
版付けにより第１製版画像６５Ａに応じた画像をその表面に印刷された用紙Ｐ１は、切換部材１０の先端によってその先端部から版胴外周面上の分割製版済みマスタ６５から剥離されつつ、第２の位置を占めた切換部材１０によって再給紙手段９へと案内される。切換部材１０によって下方へと導かれた用紙Ｐ１は、各ガイド板２７，５６間を通ってその先端をフェンス８ａに当接させ、補助トレイ８上に載置される。補助トレイ８上に搬送された用紙Ｐ１は吸引ファン３９の吸引力によって無端ベルト３８に保持されつつ図１の矢印方向に搬送され、その先端（第１製版画像６５Ａの印刷時における後端）を曲折端部２４ａに当接させる。このとき用紙Ｐ１と無端ベルト３８との間で滑りが発生するので、用紙Ｐ１はその先端を曲折端部２４ａに当接させた状態で停留される。なお、用紙Ｐ１の先端が曲折端部２４ａに当接したときにこれを検知する図示しないセンサーを設け、この図示しないセンサーが用紙Ｐ１の先端を検知したときに駆動ローラー３６及び吸引ファン３９の作動を停止させる構成としてもよい。
【０１１６】
用紙Ｐ１が補助トレイ８上に案内されている間も版胴１２は回転を継続しており、プレスローラー１３は版胴１２の表面領域との接触を終えるとカム板４３Ｂの凸部がカムフォロア４１に当接することで離間位置を占める。このカム板４３Ｂの働きにより、用紙Ｐが存在しない状態で版胴１２の裏面領域とプレスローラー１３とが圧接することがなく、プレスローラー１３の周面へのインキの転移を防止できる。このとき図示しないプレスローラー係止手段が作動してプレスローラー１３を離間位置で保持した後、ステッピングモーター５２が作動して段差カム４９が回転され、そのカム部４９ｂをカムフォロア４８ｃに当接させる。これにより移動アーム４８が支軸４８ａを中心に揺動され、カム軸４４がカム板４３Ａをカムフォロア４１に対して当接可能となる位置に移動される。
【０１１７】
また、上述の動作とほぼ同時に給紙ローラー６８及び分離ローラー６９が駆動され、給紙トレイ６７上から２枚目の用紙Ｐ２が引き出されてその先端をレジストローラー対７１に挟持される。そして、上述と同様の所定のタイミングで駆動ローラー７１ａが回転駆動され、引き出された用紙Ｐ２は版胴１２とプレスローラー１３との間に向けて給送される。
【０１１８】
一方、プレスローラー接離機構５５では、移動されたカム板４３Ａの凸部がカムフォロア４１と当接可能な位置までカム軸４４が回転すると、図示しないプレスローラー係止手段の作動が解除される。このときカム軸４４と同期して回転している版胴１２は、表面領域及び裏面領域及び中間領域以外の部位である非開口部がプレスローラー１３と対向する位置を占めている。また、版胴１２の表面領域がプレスローラー１３との対向部を通過し、クランパー１９が再び切換部材１０と対応する位置を占めるまでの間にソレノイド１２３が作動され、切換部材１０が第２の位置から第１の位置に変位される。
【０１１９】
用紙Ｐ２がレジストローラー対７１によって給送される所定のタイミングにおいて、カム板４３Ａがその凸部をカムフォロア４１から離脱させることによりプレスローラー１３が印圧ばね４２の付勢力によってその周面を版胴１２の外周面に圧接させる。これによりプレスローラー１３と用紙Ｐ２と分割製版済みマスタ６５の第１製版画像６５Ａ形成部と版胴１２とが圧接し、インキローラー１６によって版胴１２の内周面に供給されたインキが版胴１２の開口部、図示しない多孔性支持板及び図示しないメッシュスクリーン、第１製版画像６５Ａの穿孔部を介して用紙Ｐ２に転写される。
【０１２０】
第１製版画像６５Ａに応じた画像を印刷された用紙Ｐ２は、第１の位置を占めた切換部材１０によって排紙搬送部材８５へと案内されると共に、剥離爪８４によってその先端部から版胴外周面上の分割製版済みマスタ６５より剥離される。剥離された用紙Ｐ２は下方へと落下して排紙搬送部材８５へと送られた後に排紙トレイ８６上に排出される。
【０１２１】
また、レジストローラー対７１によって用紙Ｐ２が給送された後、分割製版済みマスタ６５の版胴回転方向における第２製版画像６５Ｂの画像領域先端部がプレスローラー１３と対応する位置に到達するよりもやや早いタイミングである所定のタイミングでソレノイド３３が作動され、揺動アーム３２が支軸３２ａを中心に図２における時計回り方向に揺動される。これにより再給紙レジストローラー２３が離間位置から圧接位置に揺動され、先端を曲折端部２４ａに当接させた状態で停留されていた用紙Ｐ１が版胴１２と当接して従動回転しているプレスローラー１３の周面に当接される。
【０１２２】
再給紙レジストローラー２３によりプレスローラー１３の周面に当接された用紙Ｐ１は、プレスローラー１３の回転力によってその回転方向下流側へと搬送され、用紙ガイド板３１及び各ローラー２８，２９，３０によってプレスローラー１３の周面に密着した状態で版胴１２との当接部に向けて搬送される。このとき用紙Ｐ１の表面には第１製版画像６５Ａに応じた画像が印刷されているが、再給紙案内部材２２の働きによって用紙Ｐ１がプレスローラー１３の周面に密着されているので、一度プレスローラー１３の周面に接触した用紙Ｐ１がずれることがなく、擦れ汚れあるいは画線の太りといった不具合の発生が防止される。そして、用紙Ｐ２の後端及び中間領域がプレスローラー１３と対応する位置を通過した後、裏面領域の先端部がプレスローラー１３と対応する位置に到達するタイミングで用紙Ｐ１が版胴１２とプレスローラー１３との当接部に送り込まれる。
【０１２３】
これによりプレスローラー１３と用紙Ｐ１と分割製版済みマスタ６５の第２製版画像６５Ｂ形成部と版胴１２とが圧接し、インキローラー１６によって版胴１２の内周面に供給されたインキが版胴１２の開口部、図示しない多孔性支持板及び図示しないメッシュスクリーン、第２製版画像６５Ｂの穿孔部を介して用紙Ｐ１に転写され、分割製版済みマスタ６５のうちの第２製版画像６５Ｂが形成された部分の版付けが行われる。
【０１２４】
第１製版画像６５Ａに応じた画像を表面に、第２製版画像６５Ｂに応じた画像を裏面にそれぞれ印刷された用紙Ｐ１は、第１の位置を占めた切換部材１０によって排紙搬送部材８５へと案内されると共に、剥離爪８４によってその先端部から版胴外周面上の分割製版済みマスタ６５より剥離される。剥離された用紙Ｐ１は下方へと落下して排紙搬送部材８５へと送られた後に排紙トレイ８６上に排出され、これにより分割製版済みマスタ６５の版付け動作が完了して両面印刷装置１は印刷待機状態となる。
【０１２５】
上述の版付け時において、分割製版済みマスタ６５の第１製版画像６５Ａと第２製版画像６５Ｂとの間に所定の空白部Ｓが設けられ、分割製版済みマスタ６５が版胴１２の外周面上に巻装された際に中間領域が形成されるので、給紙部４から送られた用紙Ｐ２の後端と再給紙手段９から送られた用紙Ｐ１の先端とが重合することが防止され、良好な版付けを行うことができる。また、再給紙手段９からの用紙Ｐ１の再給紙時において、用紙Ｐ１の印刷面と接触することでプレスローラー１３の表面に用紙Ｐ１からのインキが再転移するが、プレスローラー１３の周面が撥インキ性を有すると共にクリーニングローラー２６がプレスローラー１３の周面をクリーニングするので、用紙Ｐ１からプレスローラー１３の周面への再転移インキ量が減少されると共にプレスローラー１３の周面からの再転移インキの除去が促進され、以下の印刷時においてプレスローラー１３から用紙Ｐの裏面へのインキの再転移を防止できる。
【０１２６】
両面印刷装置１が印刷待機状態となった後、印刷速度設定キー１１３及び操作パネル１０３上の各種キーによって印刷条件を入力した後に試し刷りキー１０６が押下されると、試し刷りが行われる。この試し刷りキー１０６の押下時においても制御手段１２９は用紙の厚みを設定して下さいという旨の表示を表示装置１２０に表示させ、「厚紙」が設定された場合には試し刷りキー１０６の入力を拒否して表示装置１２０に正しい用紙をセットして下さいという旨の警告を表示させる。
【０１２７】
試し刷りキー１０６が押下されると、版付け時と同様にカム板４３Ｂがカムフォロア４１に当接可能となる位置にカム軸４４が移動された後に設定された印刷速度で版胴１２が回転駆動され、さらに版付け時と同様に切換部材１０が第２の位置に位置決めされる。版胴１２の回転開始後、給紙部４から１枚目の用紙Ｐ１が給送され、給送された用紙Ｐ１はレジストローラー対７１で一時停留された後に版付け時と同じタイミングで給送されてプレスローラー１３によって分割製版済みマスタ６５の第１製版画像６５Ａに圧接される。表面に第１製版画像６５Ａに対応した画像を印刷された用紙Ｐ１は切換部材１０によって版胴外周面上の分割製版済みマスタ６５より剥離されつつ補助トレイ８へと案内される。補助トレイ８上に搬送された用紙Ｐ１は、吸引ファン３９の吸引力によって無端ベルト３８上に保持されつつ先端を曲折端部２４ａに当接させた状態で停留される。
【０１２８】
その後、図示しないプレスローラー係止手段が作動してプレスローラー１３が離間位置で保持され、段差カム４９が回転してカム板４３Ａをカムフォロア４１に対して当接可能となる位置にカム軸４４が移動された後、図示しないプレスローラー係止手段の作動が解除される。切換部材１０は、クランパー１９が再び切換部材１０と対応する位置を占めるまでの間に第２の位置から第１の位置に変位される。また、この動作とほぼ同時に給紙部４から２枚目の用紙Ｐ２が給送され、給送された用紙Ｐ２はレジストローラー対７１で一時停留された後に用紙Ｐ１と同じタイミングで印刷部２に向けて給送される。
【０１２９】
給送された用紙Ｐ２は揺動するプレスローラー１３によって分割製版済みマスタ６５の第１製版画像６５Ａに圧接され、表面に第１製版画像６５Ａに対応した画像を印刷された用紙Ｐ２は第１の位置を占めた切換部材１０によって排紙搬送部材８５へと案内される。用紙Ｐ２は剥離爪８４によって分割製版済みマスタ６５より剥離され、下方へと落下して排紙搬送部材８５によって搬送されて排紙トレイ８６上に排出される。
【０１３０】
レジストローラー対７１によって用紙Ｐ２が給送された後、版付け時と同じタイミングでソレノイド３３が作動されて再給紙レジストローラー２３が離間位置から圧接位置へと変位され、一時停留されていた用紙Ｐ１が回転しているプレスローラー１３の周面に当接される。用紙Ｐ１はプレスローラー１３の回転力によって搬送され、再給紙案内部材２２によってプレスローラー１３の周面に密着した状態で印刷部２へと搬送される。
【０１３１】
搬送された用紙Ｐ１は揺動するプレスローラー１３によって分割製版済みマスタ６５の第２製版画像６５Ｂに圧接され、その両面に各製版画像６５Ａ，６５Ｂに対応した画像を印刷された用紙Ｐ１は切換部材１０によって排紙搬送部材８５へと案内される。その後、用紙Ｐ１が剥離爪８４によって分割製版済みマスタ６５より剥離され、排紙搬送部材８５によって搬送されて排紙トレイ８６上に排出されることにより試し刷りが完了する。
【０１３２】
試し刷りにより画像の位置あるいは濃度等が確認され、テンキー１０９によって印刷枚数が入力された後に印刷スタートキー１０５が押下されると、印刷動作が行われる。この印刷スタートキー１０５の押下時においても制御手段１２９は用紙の厚みを設定して下さいという旨の表示を表示装置１２０に表示させ、「厚紙」が設定された場合には印刷スタートキー１０５の入力を拒否して表示装置１２０に正しい用紙をセットして下さいという旨の警告を表示させる。本実施例では、印刷枚数としてＮ枚が入力された場合を説明する。
【０１３３】
印刷スタートキー１０５が押下されると、版付け時及び試し刷り時と同様にカム板４３Ｂがカムフォロア４１に対して当接可能となる位置にカム軸４４が移動された後に設定された印刷速度で版胴１２が回転駆動され、さらに版付け時及び試し刷り時と同様に切換部材１０が第２の位置に位置決めされる。版胴１２の回転開始後に給紙部４から１枚目の用紙Ｐ１が給送され、給送された用紙Ｐ１はレジストローラー対７１で一時停留された後に試し刷り時と同じタイミングで給送される。用紙Ｐ１はプレスローラー１３によって分割製版済みマスタ６５の第１製版画像６５Ａに圧接されることで、その表面に第１製版画像６５Ａに対応した画像を印刷される。表面に画像を印刷された用紙Ｐ１は、第２の位置を占めた切換部材１０によって剥離案内されて補助トレイ８上に搬送され、先端を曲折端部２４ａに当接させた状態で停留される。
【０１３４】
その後、図示しないプレスローラー係止手段が作動してプレスローラー１３が離間位置で保持され、カム板４３Ａがカムフォロア４１に対して当接可能となる位置にカム軸４４が移動された後、図示しないプレスローラー係止手段の作動が解除される。また、この動作とほぼ同時に給紙部４から２枚目の用紙Ｐ２が給送され、用紙Ｐ２はレジストローラー対７１で一時停留された後に用紙Ｐ１と同じタイミングで印刷部２に向けて給送される。切換部材１０はクランパー１９との衝突を回避すべく第１の位置に位置決めされた後、クランパー１９の通過後に再び第２の位置に位置決めされる。
【０１３５】
給送された用紙Ｐ２はプレスローラー１３によって分割製版済みマスタ６５の第１製版画像６５Ａに圧接され、表面に第１製版画像６５Ａに対応した画像を印刷された後、第２の位置を占めた切換部材１０によって剥離案内されて補助トレイ８上に搬送される。このとき試し刷り時と同じタイミングでソレノイド３３が作動され、補助トレイ８上に停留されていた用紙Ｐ１がプレスローラー１３の回転力によって印刷部２へと搬送される。用紙Ｐ１は用紙Ｐ２の後端が版胴１２とプレスローラー１３との当接部を抜けきった後、版胴１２の中間領域がプレスローラー１３と対向する位置を通過して裏面領域がプレスローラー１３と対向するタイミングで版胴１２とプレスローラー１３との当接部に送られ、プレスローラー１３によって分割製版済みマスタ６５の第２製版画像６５Ｂに圧接されることでその裏面に第２製版画像６５Ｂに対応した画像を印刷される。
【０１３６】
上述の動作中、版胴１２の中間領域がプレスローラー１３と対向する位置を占める直前にソレノイド１２３が作動され、切換部材１０が第２の位置から第１の位置に変位される。これにより切換部材１０によって案内されていた用紙Ｐ２の後端は、切換部材１０の下面１０ａとプレスローラー１３の周面との間の僅かな隙間を通って補助トレイ８上に案内され、これに続いて搬送された用紙Ｐ１の先端は、切換部材１０の上面１０ｂに沿って排紙搬送部材８５へと案内される。用紙Ｐ１は、剥離爪８４によって分割製版済みマスタ６５より剥離された後に排紙搬送部材８５によって搬送され、排紙トレイ８６上に排出される。
【０１３７】
その後、給紙部４から３枚目の用紙Ｐ３が給送され、用紙Ｐ３はレジストローラー対７１で一時停留された後に用紙Ｐ１と同じタイミングで印刷部２に向けて給送される。切換部材１０はクランパー１９との衝突を回避すべく第１の位置に位置決めされ、クランパー１９の通過後に再び第２の位置に位置決めされる。給送された用紙Ｐ３は表面に第１製版画像６５Ａに対応した画像を印刷された後、切換部材１０によって補助トレイ８上に案内される。そして所定のタイミングでソレノイド３３が作動され、補助トレイ８上に停留されていた用紙Ｐ２が印刷部２へと搬送される。用紙Ｐ２は上述の用紙Ｐ１と同様のタイミングで版胴１２とプレスローラー１３との当接部に送られ、その裏面に第２製版画像６５Ｂに対応した画像を印刷される。切換部材１０は上述と同様のタイミングで第２の位置から第１の位置に変位され、用紙Ｐ３の後端は切換部材１０の下面１０ａとプレスローラー１３の周面との間の僅かな隙間を通って補助トレイ８上に案内される。また、これに続いて補助トレイ８上より搬送された用紙Ｐ２の先端は切換部材１０の上面１０ｂに沿って排紙搬送部材８５へと案内され、用紙Ｐ２は剥離爪８４によって分割製版済みマスタ６５より剥離された後に排紙搬送部材８５によって搬送され、排紙トレイ８６上に排出される。
【０１３８】
以下、上述と同様の印刷動作が（Ｎ―１）枚目まで行われる。そして、Ｎ枚目の用紙ＰＮが給紙部４から給送されその表面に第１製版画像６５Ａに対応した画像を印刷されて補助トレイ８上に案内された後、（Ｎ−１）枚目の用紙Ｐ（Ｎ−１）がその裏面に第２製版画像に対応した画像を印刷されて排紙トレイ８６上に排出されると、図示しないプレスローラー係止手段が作動してプレスローラー１３が離間位置で保持され、カム板４３Ｃをカムフォロア４１に対して当接可能となる位置にカム軸４４が移動された後、図示しないプレスローラー係止手段の作動が解除される。このとき切換部材１０は第１の位置を占めた状態を維持している。
【０１３９】
そして、分割製版済みマスタ６５の版胴回転方向における第２製版画像６５Ｂの画像領域先端部がプレスローラー１３と対応する位置に到達するよりも早い第１のタイミングでカムフォロア４１と当接可能である位置に移動されたカム板４３Ｃはその凸部をカムフォロア４１から離脱させ、プレスローラー１３が印圧ばね４２の付勢力によってその周面を版胴１２の外周面に圧接させる。その後、分割製版済みマスタ６５の版胴回転方向における第２製版画像６５Ｂの画像領域先端部がプレスローラー１３と対応する位置に到達するよりもやや早い第２のタイミングでソレノイド３３が作動され、揺動アーム３２が支軸３２ａを中心に図２における時計回り方向に揺動される。これにより再給紙レジストローラー２３が離間位置から圧接位置に揺動され、先端を曲折端部２４ａに当接させた状態で停留されていた用紙ＰＮが版胴１２と当接して従動回転しているプレスローラー１３の周面に当接される。
【０１４０】
用紙ＰＮは用紙Ｐ１と同様のタイミングで版胴１２とプレスローラー１３との当接部に送られ、その裏面に第２製版画像６５Ｂに対応した画像を印刷される。画像を印刷された用紙ＰＮは切換部材１０の上面１０ｂに沿って排紙搬送部材８５へと案内され、剥離爪８４によって分割製版済みマスタ６５より剥離された後に排紙搬送部材８５によって搬送され、排紙トレイ８６上に排出される。その後、プレスローラー１３は版胴１２の裏面領域との接触を終えるとカム板４３Ｃの凸部がカムフォロア４１に当接することで離間位置を占める。このカム板４３Ｃの働きにより、用紙Ｐが存在しない状態で版胴１２の表面領域とプレスローラー１３とが圧接することがなく、プレスローラー１３の周面へのインキの転移を防止できる。このとき図示しないプレスローラー係止手段が作動してプレスローラー１３が離間位置で保持され、その後に版胴１２がホームポジションで停止して両面印刷装置１は印刷動作を終えて再び印刷待機状態となる。
【０１４１】
上述の印刷時において、分割製版済みマスタ６５の第１製版画像６５Ａと第２製版画像６５Ｂとの間に所定の空白部Ｓが設けられ、分割製版済みマスタ６５が版胴１２の外周面上に巻装された際に中間領域が形成されるので、給紙部４から送られた用紙Ｐの後端と再給紙手段９から送られた用紙Ｐの先端とが重合することが防止され、切換部材１０の切換によって給紙部４からの用紙Ｐを補助トレイ８に、再給紙手段９からの用紙Ｐを排紙トレイ８６にそれぞれ確実に搬送することができる。また、再給紙手段９からの用紙Ｐの再給紙時において、用紙Ｐの印刷面及び版胴１２の外周面と接触することでプレスローラー１３の表面に用紙Ｐからのインキ及び版胴外周面からのインキが再転移するが、プレスローラー１３の周面が撥インキ性を有すると共にクリーニングローラー２６がプレスローラー１３の周面をクリーニングするので、用紙Ｐからプレスローラー１３の周面への再転移インキが減少されると共にプレスローラー１３の周面からの再転移インキの除去が促進され、以下の印刷時においてプレスローラー１３から用紙Ｐの裏面へのインキの再転移を防止できる。
【０１４２】
この両面印刷装置１によれば、片面印刷時には製版部３が製版済みマスタ６６を作成してこれを版胴１２に巻装し、給紙部４より用紙Ｐを給送してこれをプレスローラー１３によって版胴１２に圧接させるので、マスタ６４を無駄に使用することなく通常の孔版印刷装置と同様に片面印刷を行うことができる。また、両面印刷時には製版部３が分割製版済みマスタ６５を作成してこれを版胴１２に巻装し、給紙部４より１枚目の用紙Ｐ１を給送してこの表面をプレスローラー１３によって版胴１２に圧接させた後に補助トレイ８上に排出し、給紙部４より２枚目の用紙Ｐ２を給送してこの表面をプレスローラー１３によって版胴１２に圧接させた後に補助トレイ８上に排出すると共に、再給紙手段９によって１枚目の用紙Ｐ１を反転給送してこの裏面をプレスローラー１３によって版胴１２に圧接させた後に排紙トレイ８６上に排出するので、用紙Ｐに印刷される表面画像及び裏面画像が共にプレスローラー１３により版胴１２から転移されるインキによって形成され、良好な両面印刷物を得ることができる。
【０１４３】
また、印刷部２の構成が版胴１２と版胴１２よりも小径のプレスローラー１３とからなり、補助トレイ８が排紙部６を構成する排紙搬送部材８５の下方に配設されているので、通常の片面印刷用の孔版印刷装置に比して大幅に大型化することなく装置を構成でき、設置スペースの増大を抑制することができる。
【０１４４】
上記実施例では、両面印刷時において２枚の原稿を用意し、マスタ６４上に各原稿に応じた第１製版画像６５Ａと第２製版画像６５Ｂとを製版して分割製版済みマスタ６５を作成して１種類の両面印刷物を得る構成を示したが、画像読取部７にＡＤＦを設けて複数枚（３枚以上）の原稿をセットし、両面印刷装置１にソーターを接続して複数種類の両面印刷物を順次得ることももちろん可能である。この場合、原稿の枚数が奇数の場合には最後の１枚の原稿が製版されずに余ってしまうが、これを片面印刷モードで処理すると印刷面が上向きでソーターに排出されてしまうため、最終ページとその直前のページとの間に空白のページが挿入されてしまう。そこで、原稿が奇数枚の場合でも全てを両面印刷モードで処理し、最後の１枚の原稿を第１製版画像６５Ａとすると共に第２製版画像６５Ｂを空白（未製版）として分割製版済みマスタ６５を作成して上述と同様の印刷動作を行うことにより、原稿を余らせることなくかつページ順を狂わせることなく複数種類の両面印刷物を得ることができる。
【０１４５】
上記実施例では、両面印刷時に画像読取部７で２枚の原稿を順次読み取り、読み取られた原稿をその読み取られた順に製版部３において製版し、１枚目の原稿に応じた第１製版画像６５Ａと２枚目の原稿に応じた第２製版画像６５Ｂとが製版された分割製版済みマスタ６５を作成する構成としたが、画像メモリ１３５に格納されている２枚分の原稿画像に応じた各画像データ信号の製版量（サーマルヘッド５９の各発熱素子の稼働率、すなわちべた部の有無及びその数量）を比較する比較手段を設け、製版量の少ない画像を第１製版画像６５Ａとして、製版量の多い画像を第２製版画像６５Ｂとして製版させる構成を採用してもよい。この構成とすることにより、版胴１２から用紙Ｐの表面に転移されるインキ量が裏面に転移されるインキ量よりも少なくなり、再給紙手段９によって補助トレイ８上から表面印刷済みの用紙Ｐが給送される際に、用紙Ｐからプレスローラー１３の周面に再転移されるインキ量を減少させることができ、良好な両面印刷物を得ることができると共にクリーニング部材の負担を軽減させてその寿命を延ばすことができる。
【０１４６】
上記実施例では、プレスローラー１３の周面をクリーニングするクリーニング部材として、図示しない付勢手段によってプレスローラー１３の周面に常時圧接されたクリーニングローラー２６を用いたが、クリーニング部材として再給紙レジストローラー２３と同様に、図示しない接離手段によってプレスローラー１３の周面に対して接離自在に構成されたものを用いてもよい。この場合、プレスローラー１３の周面に用紙Ｐからのインキが再転移しない片面印刷時にはクリーニング部材をプレスローラー１３の周面から離間させることで、クリーニング部材の劣化を抑制することができる。
【０１４７】
上記実施例では、両面印刷モードの版付け時及び試し刷り時において、カム板４３Ｂがカムフォロア４１と当接可能となるようにカム軸４４を移動させた後に給紙部４から１枚目の用紙Ｐ１を給送し、用紙Ｐ１の表面に第１製版画像６５Ａを印刷してこれを補助トレイ８に案内した後、カム板４３Ａがカムフォロア４１と当接可能となるようにカム軸４４を移動させて給紙部４から２枚目の用紙Ｐ２を給送し、用紙Ｐ２の表面に第１製版画像６５Ａを印刷してこれを排紙トレイ８６に排出すると共に補助トレイ８から用紙Ｐ１を給送してその裏面に第２製版画像６５Ｂを印刷してこれを排紙トレイ８６に排出する構成としたが、カム板４３Ｂがカムフォロア４１と当接可能となるようにカム軸４４を移動させた後に給紙部４から１枚の用紙Ｐを給送し、用紙Ｐの表面に第１製版画像６５Ａを印刷してこれを補助トレイ８に案内した後にカム板４３Ｃがカムフォロア４１と当接可能となるようにカム軸４４を移動させ、プレスローラー１３の周面を版胴１２の外周面に圧接させた後に分割製版済みマスタ６５の版胴回転方向における第２製版画像６５Ｂの画像領域先端部がプレスローラー１３と対応する位置に到達するよりもやや早いタイミングでソレノイド３３を作動させ、補助トレイ８から用紙Ｐを給送してその裏面に第２製版画像６５Ｂを印刷してこれを排紙トレイ８６に排出する構成としてもよい。この構成とすることにより版付け及び試し刷りを１枚の用紙Ｐで賄うことができ、コストを低減することができる。
【０１４８】
図９は、本発明の第２の実施例を示している。この第２の実施例は第１の実施例と比較すると、プレスローラー１３に代えてプレスローラー１３６を用いる点、クリーニングローラー２６に代えてクリーニング部材としてのクリーニングローラー１３７を用いる点、多段カム４３に代えて多段カム１３８を用いる点、プレスローラー回転駆動手段１３９を用いる点においてのみ相違しており、他の構成は同一である。
【０１４９】
プレスローラー１３と同形状を呈し、少なくともその周面が撥インキ性を有する部材で構成されたプレスローラー１３６は、その芯部１３６ａの両端部を各アーム部材２０によって回転自在に支持されている。芯部１３６ａは装置奥側の一端がアーム部材２０より突出していて、その突出した端部には装置手前側から順にタイミングプーリー１４０とクリーニングローラー駆動ギヤ１４１とが固着されている。
【０１５０】
一方、揺動軸２１の装置奥側に位置するアーム部材２０よりもさらに装置奥側に突出した部位には、装置手前側から順にタイミングプーリー１４２とプレスローラー駆動ギヤ１４３とがそれぞれ図示しない軸受を介して回転自在に取り付けられている。タイミングプーリー１４２はタイミングプーリー１４０と同じ形状を呈しており、各タイミングプーリー１４０，１４２間にはタイミングベルト１４４が掛け渡されている。プレスローラー駆動ギヤ１４３の近傍には印刷装置本体１１に取り付けられたプレスローラー駆動モーター１４５が配設されており、その出力軸１４５ａにはプレスローラー駆動ギヤ１４３に噛合するピニオン１４６が取り付けられている。プレスローラー駆動モーター１４５の作動は制御手段１２９によって制御される。
【０１５１】
上述した各タイミングプーリー１４０，１４２、プレスローラー駆動ギヤ１４３、タイミングベルト１４４、プレスローラー駆動モーター１４５、ピニオン１４６によってプレスローラー回転駆動手段１３９が構成されている。プレスローラー回転駆動手段１３９は、版胴１２の回転周速度と同じ回転周速度でプレスローラー１３６を回転駆動するように構成されており、各タイミングプーリー１４０，１４２、タイミングベルト１４４によって駆動力伝達手段１５０が構成されている。
【０１５２】
クリーニングローラー２６と同様に構成されたクリーニングローラー１３７は、その芯部１３７ａをクリーニングローラー２６における芯部２６ａと同じ位置でありかつ同じ態様で各アーム部材２０によって回転自在に支持されている。芯部１３７ａの装置奥側端部はアーム部材２０より突出しており、その突出した端部には従動ギヤ１４７が取り付けられている。装置奥側に配置されたアーム部材２０の装置奥側側面上であって、各芯部１３６ａ，１３７ａが支持された位置の中間には、支軸１４８が植設されている。支軸１４８には、クリーニングローラー駆動ギヤ１４１に噛合する大径ギヤ１４９ａと従動ギヤ１４７に噛合する小径ギヤ１４９ｂとを一体的に有する減速アイドルギヤ１４９が図示しない軸受を介して回転自在に取り付けられている。クリーニングローラー駆動ギヤ１４１、従動ギヤ１４７、大径ギヤ１４９ａ、小径ギヤ１４９ｂは、クリーニングローラー１３７の回転周速度がプレスローラー１３６の回転周速度の１０分の１程度となるように、それぞれのギヤ比が設定されている。
【０１５３】
多段カム１３８は３枚のカム板１３８Ａ，１３８Ｂ，１３８Ｃを有しており、各カム板１３８Ａ，１３８Ｂ，１３８Ｃは各カム板４３Ａ，４３Ｂ，４３Ｃと同様の順序かつ同様の態様で支軸４４に固着されている。各カム板１３８Ａ，１３８Ｂ，１３８Ｃは各カム板４３Ａ，４３Ｂ，４３Ｃと同様に基部と凸部とを有しており、各凸部の形状は、プレスローラー１３６と版胴１２との接触範囲が、カム板１３８Ａでは表面領域と中間領域と裏面領域とを全て合わせた範囲となるように、カム板１３８Ｂでは表面領域と同じ範囲となるように、カム板１３８Ｃでは裏面領域と同じ範囲となるようにそれぞれ形成されている。
【０１５４】
以下に、第２の実施例における両面印刷装置１の動作を説明する。
片面印刷モード時における原稿読取動作、排版動作、製版動作、給版動作、版付け動作、試し刷り動作、及び印刷動作は、プレスローラー１３６が回転駆動されることを除いて第１の実施例と同様であるのでその説明を省略し、両面印刷モード時における動作のみを説明する。
【０１５５】
第１の実施例と同様に両面印刷モードが設定され、用紙厚みが入力された後に製版スタートキー１０４が押下されると、画像読取部７における読取動作、排版部５における排版動作、製版部３における製版動作がそれぞれ並行して行われる。そして、排版動作が完了すると給版動作が行われ、版胴１２の外周面上に分割製版済みマスタ６５が巻装される。
【０１５６】
給版動作に引き続き版付け動作が行われる。給版動作が完了して版胴１２がホームポジションで停止すると、図示しないプレスローラー係止手段が作動すると共にステッピングモーター５２が作動して段差カム４９が回転され、カム部４９ａがカムフォロア４８ｃに当接される。これによりカム軸４４がカム板１３８Ｂをカムフォロア４１に対して当接可能となる位置に移動された後、図示しないプレスローラー係止手段の作動が解除される。その後、給紙トレイ６７上から１枚の用紙Ｐが引き出され、用紙Ｐはその先端をレジストローラー対７１に挟持される。
【０１５７】
クランパー１９が切換部材１０と対応する位置を通過すると切換部材１０が第２の位置に変位され、版胴１２上の分割製版済みマスタ６５の版胴回転方向における第１製版画像６５Ａの画像領域先端部がプレスローラー１３６と対応する位置に到達する所定のタイミングで駆動ローラー７１ａが回転駆動され、引き出された用紙Ｐは版胴１２とプレスローラー１３６との間に向けて給送される。また、駆動ローラー７１ａの回転と同時にプレスローラー駆動モーター１４５が作動され、プレスローラー１３６が芯部１３６ａを中心に図９において反時計回り方向に回転駆動される。
【０１５８】
上記所定のタイミングにおいて、カム板１３８Ｂはその凸部をカムフォロア４１から離脱させ、プレスローラー１３６が印圧ばね４２の付勢力によってその周面を版胴１２の外周面に圧接させる。これにより第１製版画像６５Ａに対応した画像が用紙Ｐの表面に印刷され、分割製版済みマスタ６５のうちの第１製版画像６５Ａが形成された部分の版付けが行われる。版付けにより第１製版画像６５Ａに応じた画像をその表面に印刷された用紙Ｐは、第１の実施例と同様に第２の位置を占めた切換部材１０によって再給紙手段９へと案内される。補助トレイ８上に搬送された用紙Ｐは移動する無端ベルト３８により図９の矢印方向へと搬送され、その先端を曲折端部２４ａに当接させた状態で停留される。
【０１５９】
プレスローラー１３６は版胴１２の表面領域との接触を終えるとカム板１３８Ｂの凸部がカムフォロア４１に当接することで離間位置を占め、このときに図示しないプレスローラー係止手段が作動すると共にプレスローラー駆動モーター１４５の作動が停止されることで、プレスローラー１３６は回転を停止した状態で離間位置に保持される。その後、ステッピングモーター５２が作動して段差カム４９が回転されそのカム部４９ｃをカムフォロア４８ｃに当接させることで、カム軸４４がカム板１３８Ｃをカムフォロア４１に対して当接可能となる位置に移動される。
【０１６０】
プレスローラー接離機構５５では、カム板１３８Ｃの凸部がカムフォロア４１と当接可能な位置までカム軸４４が回転すると図示しないプレスローラー係止手段の作動が解除され、クランパー１９が再び切換部材１０と対応する位置を占めるまでの間に切換部材１０が第２の位置から第１の位置に変位される。そして、分割製版済みマスタ６５の版胴回転方向における第２製版画像６５Ｂの画像領域先端部がプレスローラー１３６と対応する位置に到達するよりもやや早いタイミングである所定のタイミングでプレスローラー駆動モーター１４５が作動されると共にソレノイド３３が作動され、再給紙レジストローラー２３が離間位置から圧接位置に揺動されることで先端を曲折端部２４ａに当接させた状態で停留されていた用紙Ｐが、版胴１２と当接しつつこれと同じ周速度で回転駆動されているプレスローラー１３６の周面に当接される。
【０１６１】
再給紙レジストローラー２３によりプレスローラー１３６の周面に当接された用紙Ｐは、再給紙案内部材２２によってプレスローラー１３６の周面に密着した状態で版胴１２との当接部に向けて搬送される。そして、裏面領域の先端部がプレスローラー１３６と対応する位置に到達するタイミングで、用紙Ｐは版胴１２とプレスローラー１３６との当接部に送り込まれる。これにより第２製版画像６５Ｂに対応した画像が用紙Ｐの裏面に印刷され、分割製版済みマスタ６５のうちの第２製版画像６５Ｂが形成された部分の版付けが行われる。両面に画像を印刷された用紙Ｐは、第１の位置を占めた切換部材１０によって排紙搬送部材８５へと案内された後に排紙トレイ８６上に排出される。
【０１６２】
その後、カム板１３８Ｃの凸部がカムフォロア４１に当接したときに図示しないプレスローラー係止手段が作動すると共にプレスローラー駆動モーター１４５の作動が停止され、プレスローラー１３６が回転を停止した状態で離間位置に保持された後に版胴１２がホームポジションまで回転されて停止し、両面印刷装置１は版付け動作を終えて印刷待機状態となる。
【０１６３】
上述の版付け時において、再給紙手段９からの用紙Ｐの再給紙時に、用紙Ｐの印刷面と接触することでプレスローラー１３６の表面に用紙Ｐからのインキが再転移するが、プレスローラー１３６の周面が撥インキ性を有すると共にプレスローラー１３６と同期して回転するクリーニングローラー１３７がプレスローラー１３６の周面をクリーニングするので、用紙Ｐからプレスローラー１３６の周面への再転移インキ量が減少されると共にプレスローラー１３６の周面からの再転移インキの除去が促進され、以下の印刷時においてプレスローラー１３６から用紙Ｐの裏面へのインキの再転移を防止できる。
【０１６４】
版付け動作完了後、印刷速度設定キー１１３及び操作パネル１０３上の各種キーによって印刷条件が入力された後に試し刷りキー１０６が押下されることにより試し刷りが行われる。試し刷りキー１０６が押下されると、カム板１３８Ｂがカムフォロア４１に当接可能となる位置にカム軸４４が移動された後に図示しないプレスローラー係止手段の作動が解除され、設定された印刷速度で版胴１２が回転駆動されると共に切換部材１０が第２の位置に位置決めされる。そして、給紙部４から１枚の用紙Ｐが給送されると共にプレスローラー１３６が回転駆動され、給送された用紙Ｐは版付け時と同じタイミングで印刷部２へと送られてその表面に第１製版画像６５Ａに対応した画像を印刷される。画像を印刷された用紙Ｐは切換部材１０によって補助トレイ８へと案内され、その先端を曲折端部２４ａに当接させた状態で停留される。
【０１６５】
その後、図示しないプレスローラー係止手段が作動してプレスローラー１３６が離間位置で保持されると共にプレスローラー駆動モーター１４５の作動が停止され、カム板１３８Ｃがカムフォロア４１に対して当接可能となる位置にカム軸４４が移動された後、図示しないプレスローラー係止手段の作動が解除される。切換部材１０は、クランパー１９が再び切換部材１０と対応する位置を占めるまでの間に第２の位置から第１の位置に変位される。
【０１６６】
そして、版付け時と同じタイミングでプレスローラー駆動モーター１４５が作動されると共にソレノイド３３が作動され、再給紙レジストローラー２３が離間位置から圧接位置へと変位されて用紙Ｐがプレスローラー１３６の周面に当接される。用紙Ｐはプレスローラー１３６の回転力によって搬送され、再給紙案内部材２２によってプレスローラー１３６の周面に密着した状態で印刷部２へと搬送される。搬送された用紙Ｐは回転駆動されつつ揺動するプレスローラー１３６によって分割製版済みマスタ６５の第２製版画像６５Ｂに圧接され、その両面に画像を印刷された用紙Ｐは切換部材１０によって排紙搬送部材８５へと案内された後、排紙トレイ８６上に排出される。
【０１６７】
その後、カム板１３８Ｃの凸部がカムフォロア４１に当接したときに図示しないプレスローラー係止手段が作動すると共にプレスローラー駆動モーター１４５の作動が停止され、プレスローラー１３６が回転を停止した状態で離間位置に保持された後に版胴１２がホームポジションまで回転されて停止し、両面印刷装置１は試し刷り動作を終えて再び印刷待機状態となる。
【０１６８】
試し刷り動作後、テンキー１０９によって印刷枚数が入力された後に印刷スタートキー１０５が押下されると、第１の実施例と同様に印刷動作が行われる。本実施例では、印刷枚数としてＮ枚が入力された場合を説明する。
印刷スタートキー１０５が押下されると、版付け時及び試し刷り時と同様に、カム板１３８Ｂがカムフォロア４１に当接可能となる位置にカム軸４４が移動された後に図示しないプレスローラー係止手段の作動が解除され、設定された印刷速度で版胴１２が回転駆動されると共に切換部材１０が第２の位置に位置決めされる。そして、給紙部４から１枚目の用紙Ｐ１が給送されると共にプレスローラー１３６が回転駆動され、用紙Ｐ１は印刷部２においてその表面に第１製版画像６５Ａに対応した画像を印刷される。表面に画像を印刷された用紙Ｐ１は切換部材１０によって補助トレイ８へと案内され、その先端を曲折端部２４ａに当接させた状態で停留される。
【０１６９】
その後、図示しないプレスローラー係止手段が作動してプレスローラー１３６が離間位置で保持されると共にプレスローラー駆動モーター１４５の作動が停止され、カム板１３８Ａがカムフォロア４１に対して当接可能となる位置にカム軸４４が移動された後、プレスローラー駆動モーター１４５が作動されると共に図示しないプレスローラー係止手段の作動が解除される。また、この動作とほぼ同時に給紙部４から２枚目の用紙Ｐ２が給送され、用紙Ｐ２はレジストローラー対７１で一時停留された後に用紙Ｐ１と同じタイミングで印刷部２に向けて送られる。切換部材１０はクランパー１９との衝突を回避すべく第１の位置に位置決めされた後、クランパー１９の通過後に再び第２の位置に位置決めされる。
【０１７０】
給送された用紙Ｐ２はプレスローラー１３６によって分割製版済みマスタ６５の第１製版画像６５Ａに圧接され、表面に第１製版画像６５Ａに対応した画像を印刷された後、第２の位置を占めた切換部材１０によって剥離案内されて補助トレイ８上に搬送される。このとき試し刷り時と同じタイミングでソレノイド３３が作動され、補助トレイ８上に停留されていた用紙Ｐ１がプレスローラー１３６の回転力によって印刷部２へと送られる。用紙Ｐ１は用紙Ｐ２の後端が版胴１２とプレスローラー１３６との当接部を抜けきった後、版胴１２の裏面領域がプレスローラー１３６と対向するタイミングで版胴１２とプレスローラー１３６との当接部に送られ、プレスローラー１３６によって分割製版済みマスタ６５の第２製版画像６５Ｂに圧接されることでその裏面に第２製版画像６５Ｂに対応した画像を印刷される。
【０１７１】
上述の動作中、版胴１２の中間領域がプレスローラー１３６と対向する位置を占める直前にソレノイド１２３が作動され、切換部材１０が第２の位置から第１の位置に変位される。これにより切換部材１０によって案内されていた用紙Ｐ２の後端は、切換部材１０の下面１０ａとプレスローラー１３６の周面との間の僅かな隙間を通って補助トレイ８上に案内され、これに続いて搬送された用紙Ｐ１の先端は、切換部材１０の上面１０ｂに沿って排紙搬送部材８５へと案内される。用紙Ｐ１は、剥離爪８４によって分割製版済みマスタ６５より剥離された後に排紙搬送部材８５によって搬送され、排紙トレイ８６上に排出される。
【０１７２】
その後、給紙部４から３枚目の用紙Ｐ３が給送され、用紙Ｐ３はレジストローラー対７１で一時停留された後に用紙Ｐ１と同じタイミングで印刷部２に向けて送られる。切換部材１０はクランパー１９との衝突を回避すべく第１の位置に位置決めされ、クランパー１９の通過後に再び第２の位置に位置決めされる。給送された用紙Ｐ３は表面に第１製版画像６５Ａに対応した画像を印刷された後、第２の位置を占めた切換部材１０によって補助トレイ８上に案内される。そして所定のタイミングでソレノイド３３が作動され、補助トレイ８上に停留されていた用紙Ｐ２が印刷部２へと搬送される。用紙Ｐ２は用紙Ｐ１と同様のタイミングで版胴１２とプレスローラー１３６との当接部に送られ、その裏面に第２製版画像６５Ｂに対応した画像を印刷される。切換部材１０は上述と同様のタイミングで第２の位置から第１の位置に変位され、用紙Ｐ３の後端は下面１０ａとプレスローラー１３６の周面との間の僅かな隙間を通って補助トレイ８上に案内される。また、これに続いて補助トレイ８上より搬送された用紙Ｐ２の先端は上面１０ｂに沿って排紙搬送部材８５へと案内され、用紙Ｐ２は剥離爪８４によって分割製版済みマスタ６５より剥離された後に排紙搬送部材８５によって搬送されて排紙トレイ８６上に排出される。
【０１７３】
以下、上述と同様の印刷動作が（Ｎ−１）枚目まで行われる。そして、Ｎ枚目の用紙ＰＮが給紙部４から給送されその表面に第１製版画像６５Ａに対応した画像を印刷されて補助トレイ８上に案内された後、（Ｎ−１）枚目の用紙Ｐ（Ｎ−１）がその裏面に第２製版画像に対応した画像を印刷されて排紙トレイ８６上に排出されると、図示しないプレスローラー係止手段が作動してプレスローラー１３６が離間位置で保持されると共にプレスローラー駆動モーター１４５の作動が停止され、カム板１３８Ｃがカムフォロア４１に対して当接可能となる位置にカム軸４４が移動された後、プレスローラー駆動モーター１４５が作動されると共に図示しないプレスローラー係止手段の作動が解除される。このとき切換部材１０は第１の位置を占めた状態を維持している。
【０１７４】
そして、分割製版済みマスタ６５の版胴回転方向における第２製版画像６５Ｂの画像領域先端部がプレスローラー１３６と対応する位置に到達するよりもやや早いタイミングでソレノイド３３が作動され、揺動アーム３２が支軸３２ａを中心に図９における時計回り方向に揺動される。これにより再給紙レジストローラー２３が離間位置から圧接位置に揺動され、先端を曲折端部２４ａに当接させた状態で停留されていた用紙ＰＮがプレスローラー駆動モーター１４５によって回転駆動されているプレスローラー１３６の周面に当接される。その後、第２製版画像６５Ｂの画像領域先端部がプレスローラー１３６と対応する位置に到達するタイミングでカム板１３８Ｃがその凸部をカムフォロア４１から離脱させ、プレスローラー１３６が印圧ばね４２の付勢力によってその周面を版胴１２の外周面に圧接させることにより、用紙ＰＮはその裏面に第２製版画像６５Ｂに対応した画像を印刷される。
【０１７５】
その両面に画像を印刷された用紙ＰＮは上面１０ｂに沿って排紙搬送部材８５へと案内され、剥離爪８４によって分割製版済みマスタ６５より剥離された後に排紙搬送部材８５によって搬送されて排紙トレイ８６上に排出される。プレスローラー１３６は、版胴１２の裏面領域との接触を終えるとカム板１３８Ｃの凸部がカムフォロア４１に当接することで離間位置を占め、このときに図示しないプレスローラー係止手段が作動すると共にプレスローラー駆動モーター１４５の作動が停止されることで、離間位置に停止状態で保持される。その後、版胴１２がホームポジションまで回転して停止し、両面印刷装置１は印刷動作を終えて再び印刷待機状態となる。
【０１７６】
上記実施例によれば、プレスローラー１３６がプレスローラー駆動モーター１４５によって版胴１２の回転周速度と同じ回転周速度で回転駆動されているので、再給紙手段９による補助トレイ８上からの用紙Ｐの再給紙時において、再給紙レジストローラー２３及び各ローラー２８，２９，３０との接触によるプレスローラー１３６の回転周速度の変化を防止でき、版胴１２とプレスローラー１３６との間での周速度差をなくすことで良好な印刷物を得ることができる。
【０１７７】
また、駆動力伝達手段１５０がプレスローラー１３６の揺動時においてプレスローラー１３６の自転による位相の変化を防止するので、版胴１２との圧接時においてプレスローラー１３６の周面がその揺動動作に伴ってずれることを防止でき、画像の擦れや画像位置の変位を防止することで良好な印刷物を得ることができる。本実施例では駆動力伝達手段１５０として２個のタイミングプーリー１４０，１４２とこれに掛け渡されたタイミングベルト１４４とを用いた例を示したが、駆動力伝達手段として、揺動軸２１に回転自在に取り付けられたギヤ及び芯部１３６ａに回転自在に取り付けられたそれぞれ同形のギヤと、各ギヤ間に配設された奇数個のアイドルギヤとを用いる構成としてもよい。
【０１７８】
上記実施例の変形例として、プレスローラー１３６にワンウェイクラッチを設けて版胴１２との圧接時においてプレスローラー１３６を版胴１２に従動回転させることにより、版胴１２とプレスローラー１３６との間で周速度差が生じたときにプレスローラー駆動モーター１４５にかかる負荷をなくすことができ、プレスローラー駆動モーター１４５の故障を防止することができる。また、版胴１２に巻装した分割製版済みマスタ６５あるいは製版済みマスタ６６に対して負荷がかからないので、マスタの伸び、抜け、破れ等の不具合の発生を防止できる。
【０１７９】
図１０は、上記各実施例の変形例に用いられる再給紙案内部材を示している。同図において再給紙案内部材１５１は、各支軸１５２ａ，１５３ａ上にそれぞれ一体的に設けられた２個のころ状のローラー１５２，１５３と、各ローラー１５２，１５３間に掛け渡された無端ベルト１５４とを有している。各支軸１５２ａ，１５３ａはそれぞれの両端部を各アーム部材２０間に回転自在に支持されており、図示しない付勢手段によってそれぞれ芯部１３ａまたは芯部１３６ａに向けて付勢されている。各ローラー１５２，１５３は、対応する支軸１５２ａ，１５３ａに、プレスローラー１３またはプレスローラー１３６のほぼ全幅にわたってそれぞれ所定の間隔をもって一体的に取り付けられている。これにより各無端ベルト１５４は、各ローラー１５２，１５３間においてプレスローラー１３またはプレスローラー１３６の周面にそれぞれ圧接されている。
【０１８０】
このような再給紙案内部材１５１を用いることにより、上記各実施例では再給紙案内部材２２を構成する各ローラー２８，２９，３０とプレスローラー１３またはプレスローラー１３６の周面との接触状況が線接触であったのに対し、再給紙案内部材１５１を構成する各無端ベルト１５４とプレスローラー１３またはプレスローラー１３６の周面との接触状況を面接触とすることができ、プレスローラー１３またはプレスローラー１３６の周面と用紙Ｐとの密着性が向上することによりプレスローラー１３またはプレスローラー１３６の周面と用紙Ｐとの間でのずれの発生をさらに低減することができ、擦れ汚れあるいは画線の太りといった不具合の発生を効果的に防止することができる。
【０１８１】
図１１も図１０と同様に、上記各実施例の変形例に用いられる再給紙案内部材を示している。この再給紙案内部材１５５は、曲面状に形成された板部材からなる用紙ガイド板１５６と、２個の圧縮ばね１５７，１５８とを有している。プレスローラー１３またはプレスローラー１３６とほぼ同じ幅を有する用紙ガイド板１５６は、プレスローラー１３またはプレスローラー１３６の周面の曲率と同じ曲率の曲面となるように形成されており、その再給紙レジストローラー２３側に近接した端部には用紙Ｐの導入を図るための導入部１５６ａが形成されている。用紙ガイド板１５６のプレスローラー当接面と対向する面には、一方のアーム部材２０に取り付けられた図示しないブラケットに他端を取り付けられた各圧縮ばね１５７，１５８の一端がそれぞれ取り付けられている。この再給紙案内部材１５５を用いても、再給紙案内部材１５１を用いた場合と同様の作用効果を得ることができる。
【０１８２】
図１２は、本発明の第３の実施例を示している。この第３の実施例は第２の実施例と比較すると、プレスローラー１３６に代えてプレスローラー１５９を用いる点、再給紙案内部材２２に代えて再給紙案内部材１６０を用いる点、クリーニングローラー１３７に代えてクリーニング部材１６１を用いる点においてのみ相違しており、他の構成は同一である。
【０１８３】
プレスローラー１５９は金属製の芯部１５９ａにゴム等の弾性体を巻成して構成されており、版胴１２の軸方向に延在して設けられている。プレスローラー１５９は、プレスローラー１３，１３６と同様に芯部１５９ａの両端部を各アーム部材２０によって回転自在に支持されており、プレスローラー駆動モーター１４５によって回転駆動される。プレスローラー１５９の周面の円周方向長さは版胴１２の外周面上における表面領域あるいは裏面領域の円周方向長さよりも長くなるように設定されており、プレスローラー１５９は少なくともその周面が四フッ化エチレン樹脂等の撥インキ性を有する部材によって構成されている。
【０１８４】
プレスローラー１５９の右方に配設された再給紙案内部材１６０は、各支軸１６２ａ，１６３ａ上にそれぞれ一体的に設けられそれぞれの周面をプレスローラー１５９の周面に圧接させた複数のころ状のローラー１６２，１６３と、用紙Ｐをプレスローラー１５９の周面に沿わせるための曲面状に形成された用紙ガイド板１６４とを有している。各支軸１６２ａ，１６３ａはそれぞれの両端部を各アーム部材２０に回転自在に支持されており、図示しない付勢手段によってそれぞれ芯部１５９ａに向けて付勢されている。各ローラー１６２，１６３は、対応する支軸１６２ａ，１６３ａに、プレスローラー１５９のほぼ全幅にわたってそれぞれ所定の間隔をもって一体的に取り付けられている。用紙ガイド板１６４はプレスローラー１５９の周面から各ローラー１６２，１６３の半径よりも小さな距離である所定距離離れた位置に配設されており、その両端部を各アーム部材２０に固着されている。用紙ガイド板１６４は芯部１５９ａを中心とした曲面となるように形成されており、用紙ガイド板１６４には各ローラー１６２，１６３及び後述するクリーニングローラー１６５の周面をプレスローラー１５９の周面に当接させるための複数の開口部が形成されている。
【０１８５】
クリーニング部材１６１は、図１３に示すように、クリーニングローラー１６５、クリーニングローラー揺動手段１６６、拭き取りローラー１６７、ロール保持部材１６８、シート巻き取り部材１６９等を有している。
プレスローラー１５９と同じ幅となるように版胴１２の軸方向に延在して設けられたクリーニングローラー１６５は、図１２に示すように再給紙案内部材１６０と再給紙レジストローラー２３との間に配設されており、少なくともその表面はプレスローラー１５９に接触した際にプレスローラー１５９からのインキが転移し易い材質であるゴム等によって形成されている。
【０１８６】
クリーニングローラー１６５の近傍に配設されたクリーニングローラー揺動手段１６６は、それぞれ一対の揺動アーム１７０、ソレノイド１７１、引張ばね１７２等を有している。
一対の揺動アーム１７０は、各アーム部材２０間において回転自在に支持された支軸１７０ａの両端部近傍にそれぞれのほぼ中央部を一体的に取り付けられており、それぞれの一端部間においてクリーニングローラー１６５の支軸１６５ａを回転自在に支持している。各揺動アーム１７０の他端部には、アーム部材２０にそれぞれ取り付けられた一対のソレノイド１７１のプランジャ１７１ａがそれぞれ取り付けられていると共に、各一端をアーム部材２０にそれぞれ固着された一対の引張ばね１７２の他端がそれぞれ取り付けられている。この構成により、各ソレノイド１７１が作動されるとクリーニングローラー１６５はその周面をプレスローラー１５９の周面から離間させる図１３に二点鎖線で示す離間位置を占め、各ソレノイド１７１の作動が解除されるとクリーニングローラー１６５は各引張ばね１７２の付勢力によってその周面をプレスローラー１５９の周面に圧接させる図１３に実線で示す圧接位置を占める。
【０１８７】
また、一方の揺動アーム１７０の外面側には図示しないクリーニングローラー駆動モーターが取り付けられており、クリーニングローラー１６５は図示しないクリーニングローラー駆動モーターからの回転駆動力をギヤ等の図示しない駆動力伝達手段によって伝達されることで、図１３に矢印で示すプレスローラー１５９の回転方向と同方向に、プレスローラー１５９の回転周速度の１０分の１程度の回転周速度で回転駆動される。
【０１８８】
クリーニングローラー１６５の右下方近傍には拭き取りローラー１６７が配設され、その右方にはロール保持部材１６８とシート巻き取り部材１６９とが配設されている。クリーニングローラー１６５と同じ幅を有する拭き取りローラー１６７はその支軸１６７ａを各アーム部材２０に回転自在に支持されており、少なくともその表面はゴム等の高摩擦抵抗部材によって形成されている。支軸１６７ａは図示しない付勢手段によってプレスローラー１５９に向けて付勢されており、クリーニングローラー１６５が離間位置を占めたときにクリーニングローラー１６５の周面と拭き取りローラー１６７の周面とが所定の圧接力で圧接するように構成されている。
【０１８９】
ロール保持部材１６８は各アーム部材２０にそれぞれ取り付けられており、クリーニングローラー１６５の周面に付着したインキを拭き取るクリーニングシート１７３をロール状に巻成してなるクリーニングシートロール１７３ａを回転自在かつ着脱自在に支持する。クリーニングシートロール１７３ａから引き出されたクリーニングシート１７３の一端を拭き取りローラー１６７の周面を介した状態で保持するシート巻き取り部材１６９は、各アーム部材２０間に設けられた図示しないシート巻き取りモーターによって回転駆動されることによりクリーニングシート１７３を図の矢印方向に巻き取っていく。
【０１９０】
以下に、第３の実施例における両面印刷装置１の動作を説明する。
片面印刷モード時における原稿読取動作、排版動作、製版動作、給版動作、版付け動作、試し刷り動作、及び印刷動作は、ソレノイド１７１を作動状態とすることでクリーニングローラー１６５を離間位置に保持したままとすることを除いて第２の実施例と同様であるのでその説明を省略し、両面印刷モード時における動作のみを説明する。
【０１９１】
第１及び第２の実施例と同様に両面印刷モードが設定され、用紙厚みが入力された後に製版スタートキー１０４が押下されると、読取動作、排版動作、製版動作がそれぞれ並行して行われる。そして、排版動作が完了すると給版動作が行われ、版胴１２の外周面上に分割製版済みマスタ６５が巻装される。給版動作が完了して版胴１２がホームポジションで停止すると、カム軸４４がカム板１３８Ｂをカムフォロア４１に対して当接可能となる位置に移動された後、給紙部４から１枚の用紙Ｐが給送され、給送された用紙Ｐはその先端をレジストローラー対７１に挟持される。製版スタートキー１０４の押下時において各ソレノイド１７１は作動状態にあり、クリーニングローラー１６５は離間位置に保持されている。
【０１９２】
クランパー１９が切換部材１０と対応する位置を通過すると切換部材１０が第２の位置に変位され、第１製版画像６５Ａの画像領域先端部がプレスローラー１５９と対応する位置に到達する所定のタイミングで駆動ローラー７１ａが回転駆動されて用紙Ｐが版胴１２とプレスローラー１５９との間に向けて給送される。また、駆動ローラー７１ａの回転と同時にプレスローラー駆動モーター１４５が作動され、プレスローラー１５９が芯部１５９ａを中心に図１２において反時計回り方向に回転駆動される。
【０１９３】
上記所定のタイミングにおいてカム板１３８Ｂはその凸部をカムフォロア４１から離脱させ、プレスローラー１５９が印圧ばね４２の付勢力によってその周面を版胴１２の外周面に圧接させる。これにより第１製版画像６５Ａに対応した画像が用紙Ｐの表面に印刷され、分割製版済みマスタ６５のうちの第１製版画像６５Ａが形成された部分の版付けが行われる。版付けにより第１製版画像６５Ａに応じた画像をその表面に印刷された用紙Ｐは、第１及び第２の実施例と同様に第２の位置を占めた切換部材１０によって再給紙手段９へと案内される。補助トレイ８上に搬送された用紙Ｐは移動する無端ベルト３８により図１２の矢印方向へと搬送され、その先端を曲折端部２４ａに当接させた状態で停留される。
【０１９４】
プレスローラー１５９は版胴１２の表面領域との接触を終えるとカム板１３８Ｂの凸部がカムフォロア４１に当接することで離間位置を占め、このときに図示しないプレスローラー係止手段が作動すると共にプレスローラー駆動モーター１４５の作動が停止されることで回転を停止した状態で離間位置に保持される。その後、カム軸４４がカム板１３８Ｃをカムフォロア４１に対して当接可能となる位置に移動される。
【０１９５】
プレスローラー接離機構５５では、カム板１３８Ｃの凸部がカムフォロア４１と当接可能な位置までカム軸４４が回転すると図示しないプレスローラー係止手段の作動が解除され、クランパー１９が再び切換部材１０と対応する位置を占めるまでの間に切換部材１０が第２の位置から第１の位置に変位される。そして、第２製版画像６５Ｂの画像領域先端部がプレスローラー１５９と対応する位置に到達するよりもやや早いタイミングである所定のタイミングでプレスローラー駆動モーター１４５が作動されると共にソレノイド３３が作動され、再給紙レジストローラー２３が離間位置から圧接位置に揺動されることで先端を曲折端部２４ａに当接させた状態で停留されていた用紙Ｐが、版胴１２と当接しつつこれと同じ周速度で回転駆動されているプレスローラー１５９の周面に当接される。
【０１９６】
再給紙レジストローラー２３によりプレスローラー１５９の周面に当接された用紙Ｐは、再給紙案内部材１６０によってプレスローラー１５９の周面に密着した状態で版胴１２との当接部に向けて搬送される。そして、裏面領域の先端部がプレスローラー１５９と対応する位置に到達するタイミングで、用紙Ｐは版胴１２とプレスローラー１５９との当接部に送り込まれる。これにより第２製版画像６５Ｂに対応した画像が用紙Ｐの裏面に印刷され、分割製版済みマスタ６５のうちの第２製版画像６５Ｂが形成された部分の版付けが行われる。両面に画像を印刷された用紙Ｐは、第１の位置を占めた切換部材１０によって排紙搬送部材８５へと案内された後に排紙トレイ８６上に排出される。
【０１９７】
その後、カム板１３８Ｃの凸部がカムフォロア４１に当接したときに図示しないプレスローラー係止手段が作動し、プレスローラー１５９が回転した状態で離間位置に保持される。また、ソレノイド３３が作動されてからプレスローラー１５９が１回転すると、ソレノイド３３の作動が解除されると共に各ソレノイド１７１の作動が解除され、再給紙レジストローラー２３が離間位置を占めると共にクリーニングローラー１６５が圧接位置を占める。そして、図示しないクリーニングローラー駆動モーターが作動してクリーニングローラー１６５が回転駆動された後にプレスローラー１５９が１回転すると、プレスローラー駆動モーター１４５の作動が停止されると共に各ソレノイド１７１が作動される。各ソレノイド１７１が作動されてクリーニングローラー１６５が離間位置を占めると図示しないシート巻き取りモーターが作動され、シート巻き取り部材１６９が回転駆動されることでクリーニングシート１７３が回転駆動されているクリーニングローラー１６５の周面に接触しつつ図１３の矢印方向に所定量だけ送られる。この間に版胴１２はホームポジションまで回転して停止し、版胴１２、プレスローラー１５９、クリーニングローラー１６５、シート巻き取り部材１６９の停止後、両面印刷装置１は版付け動作を終えて印刷待機状態となる。
【０１９８】
上述の版付け時において、再給紙手段９からの用紙Ｐの再給紙時に、用紙Ｐの印刷面と接触することでプレスローラー１５９の表面に用紙Ｐからのインキが再転移するが、プレスローラー１５９の周面が撥インキ性を有すると共に所定のタイミングで接離動作及び回転駆動されるクリーニングローラー１６５がプレスローラー１５９の周面をクリーニングするので、用紙Ｐからプレスローラー１５９の周面への再転移インキ量が減少されると共にプレスローラー１５９の周面からの再転移インキの除去が促進され、以下の印刷時においてプレスローラー１５９から用紙Ｐの裏面へのインキの再転移を防止できる。また、クリーニングローラー１６５の周面もクリーニングシート１７３によってクリーニングされるので、クリーニングローラー１６５が常に清浄な状態でプレスローラー１５９のクリーニングを行うことができ、インキの再転移を効果的に防止することができる。
【０１９９】
版付け動作完了後、印刷速度設定キー１１３及び操作パネル１０３上の各種キーによって印刷条件が入力された後に試し刷りキー１０６が押下されることにより試し刷りが行われる。試し刷りキー１０６が押下されると、カム板１３８Ｂがカムフォロア４１に当接可能となる位置にカム軸４４が移動された後に図示しないプレスローラー係止手段の作動が解除され、設定された印刷速度で版胴１２が回転駆動されると共に切換部材１０が第２の位置に位置決めされる。そして、給紙部４から１枚の用紙Ｐが給送されると共にプレスローラー１５９が回転駆動され、給送された用紙Ｐは版付け時と同じタイミングで印刷部２へと送られてその表面に第１製版画像６５Ａに対応した画像を印刷される。画像を印刷された用紙Ｐは切換部材１０によって補助トレイ８へと案内され、その先端を曲折端部２４ａに当接させた状態で停留される。この間、各ソレノイド１７１は作動状態にあり、クリーニングローラー１６５は離間位置に保持されている。
【０２００】
その後、図示しないプレスローラー係止手段が作動してプレスローラー１５９が離間位置で保持されると共にプレスローラー駆動モーター１４５の作動が停止され、カム板１３８Ｃがカムフォロア４１に対して当接可能となる位置にカム軸４４が移動された後、図示しないプレスローラー係止手段の作動が解除される。切換部材１０は、クランパー１９が再び切換部材１０と対応する位置を占めるまでの間に第２の位置から第１の位置に変位される。
【０２０１】
そして、版付け時と同じタイミングでプレスローラー駆動モーター１４５が作動されると共にソレノイド３３が作動され、再給紙レジストローラー２３が離間位置から圧接位置へと変位されて用紙Ｐがプレスローラー１５９の周面に当接される。用紙Ｐはプレスローラー１５９の回転力によって搬送され、再給紙案内部材１６０によってプレスローラー１５９の周面に密着した状態で印刷部２へと搬送される。搬送された用紙Ｐは回転駆動されつつ揺動するプレスローラー１５９によって第２製版画像６５Ｂに圧接され、その両面に画像を印刷された用紙Ｐは切換部材１０によって排紙搬送部材８５へと案内された後、排紙トレイ８６上に排出される。
【０２０２】
その後、カム板１３８Ｃの凸部がカムフォロア４１に当接したときに図示しないプレスローラー係止手段が作動し、プレスローラー１５９が回転した状態で離間位置に保持された後、版付け時と同様にソレノイド３３の作動が解除されると共に各ソレノイド１７１の作動が解除され、再給紙レジストローラー２３が離間位置を占めると共にクリーニングローラー１６５が圧接位置を占める。そして、図示しないクリーニングローラー駆動モーターが作動してクリーニングローラー１６５が回転駆動された後にプレスローラー１５９が１回転すると、プレスローラー駆動モーター１４５の作動が停止されると共に各ソレノイド１７１が作動されクリーニングローラー１６５が離間位置に変位される。クリーニングローラー１６５が離間位置を占めると図示しないシート巻き取りモーターが作動され、クリーニングシート１７３が回転駆動されているクリーニングローラー１６５の周面に接触しつつ図１３の矢印方向に所定量だけ送られる。この間に版胴１２はホームポジションまで回転して停止し、版胴１２、プレスローラー１５９、クリーニングローラー１６５、シート巻き取り部材１６９の停止後、両面印刷装置１は試し刷り動作を終えて再び印刷待機状態となる。
【０２０３】
試し刷り動作後、テンキー１０９によって印刷枚数が入力された後に印刷スタートキー１０５が押下されると、第１及び第２の実施例と同様に印刷動作が行われる。本実施例では、印刷枚数としてＮ枚が入力された場合を説明する。
印刷スタートキー１０５が押下されると、版付け時及び試し刷り時と同様に、カム板１３８Ｂがカムフォロア４１に当接可能となる位置にカム軸４４が移動された後に図示しないプレスローラー係止手段の作動が解除され、設定された印刷速度で版胴１２が回転駆動されると共に切換部材１０が第２の位置に位置決めされる。そして、給紙部４から１枚目の用紙Ｐ１が給送されると共にプレスローラー１５９が回転駆動され、用紙Ｐ１は印刷部２においてその表面に第１製版画像６５Ａに対応した画像を印刷される。表面に画像を印刷された用紙Ｐ１は切換部材１０によって補助トレイ８へと案内され、その先端を曲折端部２４ａに当接させた状態で停留される。
【０２０４】
その後、図示しないプレスローラー係止手段が作動してプレスローラー１５９が離間位置で保持されると共にプレスローラー駆動モーター１４５の作動が停止され、カム板１３８Ａがカムフォロア４１に対して当接可能となる位置にカム軸４４が移動された後、プレスローラー駆動モーター１４５が作動されると共に図示しないプレスローラー係止手段の作動が解除される。また、この動作とほぼ同時に給紙部４から２枚目の用紙Ｐ２が給送され、用紙Ｐ２はレジストローラー対７１で一時停留された後に用紙Ｐ１と同じタイミングで印刷部２に向けて送られる。切換部材１０はクランパー１９との衝突を回避すべく第１の位置に位置決めされた後、クランパー１９の通過後に再び第２の位置に位置決めされる。
【０２０５】
給送された用紙Ｐ２はプレスローラー１５９によって第１製版画像６５Ａに圧接され、表面に画像を印刷された後に第２の位置を占めた切換部材１０によって補助トレイ８上に案内される。このとき試し刷り時と同じタイミングでソレノイド３３が作動され、補助トレイ８上に停留されていた用紙Ｐ１がプレスローラー１５９の回転力によって印刷部２へと送られる。用紙Ｐ１は用紙Ｐ２の後端が版胴１２とプレスローラー１５９との当接部を抜けきった後、版胴１２の裏面領域がプレスローラー１５９と対向するタイミングで版胴１２とプレスローラー１５９との当接部に送られ、プレスローラー１５９によって第２製版画像６５Ｂに圧接されることでその裏面に画像を印刷される。
【０２０６】
上述の動作中、版胴１２の中間領域がプレスローラー１５９と対向する位置を占める直前にソレノイド１２３が作動され、切換部材１０が第２の位置から第１の位置に変位される。これにより切換部材１０によって案内されていた用紙Ｐ２の後端は、切換部材１０の下面１０ａとプレスローラー１５９の周面との間の僅かな隙間を通って補助トレイ８上に案内され、これに続いて搬送された用紙Ｐ１の先端は、切換部材１０の上面１０ｂに沿って排紙搬送部材８５へと案内される。用紙Ｐ１は、剥離爪８４によって分割製版済みマスタ６５より剥離された後に排紙搬送部材８５によって搬送され、排紙トレイ８６上に排出される。
【０２０７】
また、ソレノイド３３が作動されてからプレスローラー１５９が１回転するとソレノイド３３及び各ソレノイド１７１の作動がそれぞれ解除され、再給紙レジストローラー２３が離間位置を占めると共にクリーニングローラー１６５が圧接位置を占める。そして、図示しないクリーニングローラー駆動モーターが作動してクリーニングローラー１６５が回転駆動された後にプレスローラー１５９が１回転すると、プレスローラー駆動モーター１４５の作動が停止されると共に各ソレノイド１７１が作動される。各ソレノイド１７１が作動されてクリーニングローラー１６５が離間位置を占めると図示しないシート巻き取りモーターが作動され、シート巻き取り部材１６９が回転駆動されることでクリーニングシート１７３が回転駆動されているクリーニングローラー１６５の周面に接触しつつ図１３の矢印方向に所定量だけ送られる。そして、クリーニングシート１７３が所定量送られると、図示しないクリーニングローラー駆動モーター及び図示しないシート巻き取りモーターの作動がそれぞれ停止される。
【０２０８】
その後、給紙部４から３枚目の用紙Ｐ３が給送され、用紙Ｐ３はレジストローラー対７１で一時停留された後に用紙Ｐ１と同じタイミングで印刷部２に向けて送られる。切換部材１０はクランパー１９との衝突を回避すべく第１の位置に位置決めされ、クランパー１９の通過後に再び第２の位置に位置決めされる。給送された用紙Ｐ３は表面に画像を印刷された後、第２の位置を占めた切換部材１０によって補助トレイ８上に案内される。そして所定のタイミングでソレノイド３３が作動され、補助トレイ８上に停留されていた用紙Ｐ２が印刷部２へと搬送される。用紙Ｐ２は用紙Ｐ１と同様のタイミングで版胴１２とプレスローラー１５９との当接部に送られ、その裏面に画像を印刷される。切換部材１０は上述と同様のタイミングで第２の位置から第１の位置に変位され、用紙Ｐ３の後端は下面１０ａとプレスローラー１５９の周面との間の僅かな隙間を通って補助トレイ８上に案内される。また、これに続いて補助トレイ８上より搬送された用紙Ｐ２の先端は上面１０ｂに沿って排紙搬送部材８５へと案内され、用紙Ｐ２は剥離爪８４によって分割製版済みマスタ６５より剥離された後に排紙搬送部材８５によって搬送されて排紙トレイ８６上に排出される。
【０２０９】
この動作中にも上述と同じタイミングでソレノイド３３及び各ソレノイド１７１の作動がそれぞれ解除され、再給紙レジストローラー２３が離間位置を占めると共にクリーニングローラー１６５が圧接位置を占める。そして、上述と同じタイミングでプレスローラー駆動モーター１４５の作動が停止されると共に各ソレノイド１７１が作動され、図示しないシート巻き取りモーターが作動されてシート巻き取り部材１６９が回転駆動されることにより、クリーニングシート１７３が回転駆動されているクリーニングローラー１６５の周面に接触しつつ図１３の矢印方向に送られる。クリーニングシート１７３が所定量送られると、図示しないクリーニングローラー駆動モーター及び図示しないシート巻き取りモーターの作動がそれぞれ停止される。以下、このクリーニングローラー１６５の揺動動作及び回転動作、並びにシート巻き取り部材１６９の回転動作が印刷終了まで同じタイミングで繰り返される。
【０２１０】
以下、上述と同様の印刷動作が（Ｎ−１）枚目まで行われる。そして、Ｎ枚目の用紙ＰＮが給紙部４から給送されその表面に第１製版画像６５Ａに対応した画像を印刷されて補助トレイ８上に案内された後、（Ｎ−１）枚目の用紙Ｐ（Ｎ−１）がその裏面に第２製版画像に対応した画像を印刷されて排紙トレイ８６上に排出されると、図示しないプレスローラー係止手段が作動してプレスローラー１５９が離間位置で保持されると共にプレスローラー駆動モーター１４５の作動が停止され、カム板１３８Ｃがカムフォロア４１に対して当接可能となる位置にカム軸４４が移動された後、プレスローラー駆動モーター１４５が作動されると共に図示しないプレスローラー係止手段の作動が解除される。このとき切換部材１０は第１の位置を占めた状態を維持している。
【０２１１】
そして、第２製版画像６５Ｂの画像領域先端部がプレスローラー１５９と対応する位置に到達するよりもやや早いタイミングでソレノイド３３が作動され、揺動アーム３２が支軸３２ａを中心に図９における時計回り方向に揺動される。これにより再給紙レジストローラー２３が離間位置から圧接位置に揺動され、先端を曲折端部２４ａに当接させた状態で停留されていた用紙ＰＮがプレスローラー駆動モーター１４５によって回転駆動されているプレスローラー１５９の周面に当接される。その後、第２製版画像６５Ｂの画像領域先端部がプレスローラー１５９と対応する位置に到達するタイミングでカム板１３８Ｃがその凸部をカムフォロア４１から離脱させ、プレスローラー１５９が印圧ばね４２の付勢力によってその周面を版胴１２の外周面に圧接させることにより、用紙ＰＮはその裏面に画像を印刷される。
【０２１２】
両面に画像を印刷された用紙ＰＮは上面１０ｂに沿って排紙搬送部材８５へと案内され、剥離爪８４によって分割製版済みマスタ６５より剥離された後に排紙搬送部材８５によって搬送されて排紙トレイ８６上に排出される。プレスローラー１５９は、版胴１２の裏面領域との接触を終えるとカム板１３８Ｃの凸部がカムフォロア４１に当接することで離間位置を占め、このときに図示しないプレスローラー係止手段が作動することで離間位置に回転した状態で保持される。また、上述と同じタイミングでソレノイド３３及び各ソレノイド１７１の作動がそれぞれ解除されて再給紙レジストローラー２３が離間位置を占めると共にクリーニングローラー１６５が圧接位置を占め、上述と同じタイミングでプレスローラー駆動モーター１４５の作動が停止されると共に各ソレノイド１７１が作動され、さらに図示しないシート巻き取りモーターが作動されてシート巻き取り部材１６９が回転駆動されることにより、クリーニングシート１７３が回転駆動されているクリーニングローラー１６５の周面に接触しつつ図１３の矢印方向に送られる。この間に版胴１２がホームポジションまで回転して停止し、版胴１２、プレスローラー１５９、クリーニングローラー１６５、シート巻き取り部材１６９の停止後、両面印刷装置１は印刷動作を終えて再び印刷待機状態となる。
【０２１３】
第３の実施例によれば、再給紙レジストローラー２３と再給紙案内部材１６０との間にクリーニングローラー１６５を配置することで、第１及び第２の実施例に比してクリーニング部材１６１の設置スペースを大きく取ることができ、クリーニング部材としてより良好なクリーニング性能を持ったものを採用することが可能となり、プレスローラー周面から用紙へのインキの再転移をより効果的に防止することで良質な両面印刷物を得ることができる。
【０２１４】
第２及び第３の実施例では、プレスローラー回転駆動手段１３９を構成するプレスローラー駆動モーター１４５によってプレスローラー１３６あるいはプレスローラー１５９を回転駆動する構成としたが、プレスローラー駆動モーター１４５を用いずに版胴駆動手段１２１の回転駆動力をギヤやベルト等の図示しない駆動力伝達手段によって伝達し、プレスローラー１３６あるいはプレスローラー１５９を回転駆動する構成としてもよい。
【０２１５】
図１４は、本発明の第３の実施例の変形例に用いられるクリーニング部材１７４を示している。このクリーニング部材１７４は、第３の実施例で示したクリーニング部材１６１と比較すると、拭き取りローラー１６７、ロール保持部材１６８、シート巻き取り部材１６９、及びクリーニングシート１７３に代えて、塗布ローラー１７５、クリーナー貯容部材１７６を用いる点においてのみ相違しており、他の構成は同一である。
【０２１６】
塗布ローラー１７５は耐インキ腐食性及び耐クリーナー性を有する材料、例えばシリコーン樹脂製のスポンジゴム等から構成されており、クリーニングローラー１６５と同じ幅となるように形成されている。塗布ローラー１７５は一体的に構成された支軸１７５ａをクリーナー貯容部材１７６に回転自在に支持されており、アーム部材２０に取り付けられた図示しない塗布ローラー駆動モーターによって図の矢印方向にクリーニングローラー１６５の回転周速度とほぼ同じ周速度で回転駆動される。
【０２１７】
内部にクリーナー溶液１７７を貯容する箱形のクリーナー貯容部材１７６は各アーム部材２０間に設けられた図示しないブラケットに取り付けられており、その取付位置はクリーニングローラー１６５が離間位置を占めたときにクリーニングローラー１６５と塗布ローラー１７５とが所定の圧接力で圧接する位置に定められている。内部に貯容されるクリーナー溶液１７７としては、例えば中性洗剤溶液、アルコール、ベンジン、灯油、軽油、ガソリン等の石油類等が主に用いられる。
【０２１８】
このようなクリーニング部材１７４を用い、クリーニングローラー揺動手段１６６によってクリーニングローラー１６５を揺動させてその周面を塗布ローラー１７５の周面に圧接させ、各ローラー１６５，１７５をそれぞれ同方向に回転駆動することにより、クリーニングローラー１６５の周面に付着したインキがクリーナー溶液１７７を含んだ塗布ローラー１７５によって清浄化することにより、第３の実施例と同等の作用効果を得ることができる。
【０２１９】
第３の実施例及び変形例では、プレスローラー１５９としてその周面の円周方向長さが単に版胴１２の外周面上における表面領域あるいは裏面領域の円周方向長さよりも長いものを用いたが、この条件を満たすと共にその円周方向長さと版胴１２の円周方向長さとが整数比となるもの、すなわちその直径と版胴１２の直径とが整数比となるものを用いてもよい。このような構成とすることにより、プレスローラーの周速度を版胴１２の周速度と同速度とすることが簡単になると共にプレスローラーが常に同じ位置で版胴１２の外周面と接することとなるため、第３の実施例のように版胴１２の１回転毎にプレスローラーのクリーニング動作を行う必要がなくなり、動作制御を簡略化できる。この場合、プレスローラーとしてその円周方向長さが版胴外周面上における表面領域あるいは裏面領域の円周方向長さよりも長いものである必要があるため、プレスローラーの直径と版胴の直径との比は１：２または１：３が望ましい。比がこれよりも大きいと版胴の直径が大きくなりすぎ、装置の小型化の妨げとなる。このことからプレスローラーの直径は版胴の直径の２分の１ないし３分の１の範囲内にあることが望ましい。
【０２２０】
上記各実施例及び変形例では、表面印刷済みの片面印刷用紙を補助トレイ８上から再給紙する再給紙レジスト部材として、プレスローラー１３，１３６，１５９の周面に対して接離自在かつ回転自在な再給紙レジストローラー２３を用いた例を示したが、再給紙レジスト部材としてはこれに限られず、例えばプレスローラー１３，１３６，１５９の周面に対して接離自在であってその当接部分が丸く形成された板状部材等を用いてもよい。
【０２２１】
本発明によれば、片面印刷時には製版済みマスタを版胴に巻装し、給紙部より用紙を給送してこれをプレスローラーによって版胴に圧接させるので、マスタを無駄に使用することなく通常の孔版印刷装置と同様に片面印刷を行うことができる。また、両面印刷時には分割製版済みマスタを版胴に巻装し、給紙部より１枚目の用紙を給送してこの表面をプレスローラーによって版胴に圧接させた後に補助トレイ上に排出し、給紙部より２枚目の用紙を給送してこの表面をプレスローラーによって版胴に圧接させた後に補助トレイ上に排出すると共に、再給紙手段によって１枚目の用紙を反転給送してこの裏面をプレスローラーによって版胴に圧接させた後に排紙トレイ上に排出するので、用紙に印刷される表面画像及び裏面画像が共にプレスローラーにより版胴から転移されるインキによって形成され、良好な両面印刷物を得ることができる。
【０２２２】
また、印刷部の構成が版胴とこれよりも小径のプレスローラーとからなり、補助トレイが排紙部を構成する排紙搬送部材の下方に配設されているので、通常の片面印刷用の孔版印刷装置に比して大幅に大型化することなく装置を構成でき、設置スペースの増大を抑制することができる。
【図面の簡単な説明】
【図１】本発明の第１の実施例を採用した両面印刷装置の概略正面図である。
【図２】本発明の第１の実施例における版胴外周面から離間したプレスローラーを示す概略正面図である。
【図３】本発明の第１の実施例における版胴外周面に接触したプレスローラーを示す概略正面図である。
【図４】本発明の第１の実施例に用いられるプレスローラー接離機構を説明する概略図である。
【図５】本発明の第１の実施例に用いられる分割製版済みマスタを説明する概略図である。
【図６】本発明の第１の実施例に用いられる製版済みマスタを説明する概略図である。
【図７】本発明の第１の実施例に用いられる操作パネルを示す概略図である。
【図８】本発明の第１の実施例に用いられる制御手段のブロック図である。
【図９】本発明の第２の実施例を示す印刷部要部の概略正面図である。
【図１０】本発明の第１または第２の実施例の変形例に用いられる再給紙案内部材を説明する概略図である。
【図１１】本発明の第１または第２の実施例の他の変形例に用いられる再給紙案内部材を説明する概略図である。
【図１２】本発明の第３の実施例を示す印刷部要部の概略正面図である。
【図１３】本発明の第３の実施例に用いられるクリーニング部材を説明する概略図である。
【図１４】本発明の第３の実施例の変形例に用いられるクリーニング部材を説明する概略図である。
【符号の説明】
１  両面印刷装置
２  印刷部
３  製版部
４  給紙部
６  排紙部
８  補助トレイ
９  再給紙手段
１０  切換部材
１２  版胴
１３  プレスローラー
２０  プレスローラー支持部材（アーム部材）
２２，１５１，１５５，１６０  再給紙案内部材
２３  再給紙レジスト部材（再給紙レジストローラー）
２４  再給紙位置決め部材
２５  再給紙搬送部材
２８，２９，３０  ローラー
３２  再給紙レジスト支持部材（揺動アーム）
４０  再給紙レジスト接離機構
５５  プレスローラー接離機構
６５  分割製版済みマスタ
６５Ａ  第１製版画像
６５Ｂ  第２製版画像
６６  製版済みマスタ
６６Ａ  第３製版画像
１２０  第１表示手段、第２表示手段（ＬＣＤからなる表示装置）
１３９  プレスローラー回転駆動手段
１５０  駆動力伝達手段
１５２，１５３  ２個のローラー（ローラー）
１５４  無端ベルト
１５６  板部材（用紙ガイド板）
１６１，１７４  クリーニング部材
Ｐ  用紙
Ｓ  所定の空白部
【図１】
0004355123.tif 000002
【図２】
0004355123.tif 000003
【図３】
0004355123.tif 000004
【図４】
0004355123.tif 000005
【図５】
0004355123.tif 000006
【図６】
0004355123.tif 000007
【図７】
0004355123.tif 000008
【図８】
0004355123.tif 000009
【図９】
0004355123.tif 000010
【図１０】
0004355123.tif 000011
【図１１】
0004355123.tif 000012
【図１２】
0004355123.tif 000013
【図１３】
0004355123.tif 000014
【図１４】
0004355123.tif 000015